(57)【要約】  本発明は、調理器具の制御方法及び制御システム、米送り込み制御方法、米送り込み制御システム、及び調理器具を提供し、調理器具の制御方法は、供給指令を受信して、調理器具の洗米槽内に予め設定された重量の調理物を入れるステップ（Ｓ１０２）と、第１の給液指令を受信して、洗米槽内に第１の予め設定された量の水を注入するステップ（Ｓ１０４）と、洗浄指令を受信して、調理器具の調理物洗浄装置を駆動して調理物を洗浄するステップ（Ｓ１０６）と、廃棄物排出の指令を受信して、調理物の洗浄を停止させ、洗米槽内の水を排出するステップ（Ｓ１０８）と、送り込み指令を受信して、洗米槽内に第３の予め設定された量の水を注入した後、洗米槽の送り込み弁を開いて、洗米槽における調理物と水の混合物を調理器具の内釜に送り込むステップ（Ｓ１１０）と、第２の給液指令を受信して、洗米槽内に第２の予め設定された量の水を注入した後、送り込み弁を閉めるステップ（Ｓ１１２）と、を含む。
2020513281.tif 000002
【特許請求の範囲】
【請求項１】
供給指令を受信して、調理器具の洗米槽内に予め設定された重量の調理物を入れるステップＳ１０２と、
第１の給液指令を受信して、前記洗米槽内に第１の予め設定された量の水を注入するステップＳ１０４と、
洗浄指令を受信して、前記調理器具の調理物洗浄装置を駆動して調理物を洗浄するステップＳ１０６と、
廃棄物排出指令を受信して、前記調理物の洗浄を停止させ、前記洗米槽内の水を排出するステップＳ１０８と、
送り込み指令を受信して、洗米槽内に第３の予め設定された量の水を注入した後、前記洗米槽の送り込み弁を開いて、前記洗米槽における調理物と水の混合物を前記調理器具の内釜に送り込むステップＳ１１０と、
第２の給液指令を受信して、前記洗米槽内に第２の予め設定された量の水を注入し、第２の予め設定された量と第３の予め設定された量との合計は、調理に必要な水量と同じであるステップＳ１１２と、を含むことを特徴とする調理器具の制御方法。
【請求項２】
前記供給指令を受信して、前記調理器具の洗米槽内に予め設定された重量の調理物を入れるステップの前に、
前記予め設定された重量の値を取得することと、
前記調理器具の貯米タンク内の残量を検出することと、
前記残量を前記予め設定された重量の値と比較することと、
前記残量が、前記予め設定された重量の値より少ない時に報知することと、
前記残量が、前記予め設定された重量の値以上である時に、前記調理器具の洗米槽内に供給することと、を更に含むことを特徴とする請求項１に記載の調理器具の制御方法。
【請求項３】
調理情報を受信して、前記調理情報に応じて、対応する予め設定された米と水との割合を選択することを更に含むことを特徴とする請求項２に記載の調理器具の制御方法。
【請求項４】
前記予め設定された重量の値と前記予め設定された米と水との割合とに基づいて、前記第２の予め設定された量を算出することを更に含むことを特徴とする請求項３に記載の調理器具の制御方法。
【請求項５】
前記調理情報は、少なくとも、米の量、米の種類、タイプ、食感の一つ又はそれらの組合せを含むことを特徴とする請求項３に記載の調理器具の制御方法。
【請求項６】
前記第１の給液指令を受信して、前記洗米槽内に第１の予め設定された量の水を注入するステップの前に、
洗浄回数を取得し、前記洗浄回数に応じてステップＳ１０４からステップＳ１０８までを繰り返すことを更に含むことを特徴とする請求項１乃至５のいずれか一項に記載の調理器具の制御方法。
【請求項７】
前記廃棄物排出指令を受信して、前記調理物の洗浄を停止させ、前記洗米槽内の水を排出するステップの前に、
洗浄後の水の濁度を検出することと、
前記濁度を予め設定された濁度と比較することと、
前記濁度が、前記予め設定された濁度より大きい時に、ステップＳ１０８を完成した後、ステップＳ１０４に戻ることと、
前記濁度が、前記予め設定された濁度以下である時に、ステップＳ１１０に入ることと、を更に含むことを特徴とする請求項１乃至５のいずれか一項に記載の調理器具の制御方法。
【請求項８】
供給指令を受信して、調理器具の洗米槽内に予め設定された重量の調理物を入れる供給ユニットと、
第１の給液指令を受信して、前記洗米槽内に第１の予め設定された量の水を注入する第１の給液ユニットと、
洗浄指令を受信して、前記調理器具の調理物洗浄装置を駆動して調理物を洗浄する洗浄ユニットと、
廃棄物排出指令を受信して、前記調理物の洗浄を停止させ、前記洗米槽内の水を排出する廃棄物排出ユニットと、
送り込み指令を受信して、洗米槽内に第３の予め設定された量の水を注入した後、前記洗米槽の送り込み弁を開いて、前記洗米槽における調理物と水の混合物を前記調理器具の内釜に送り込む送り込みユニットと、
第２の給液指令を受信して、前記洗米槽内に第２の予め設定された量の水を注入し、第２の予め設定された量と第３の予め設定された量との合計は、調理に必要な水量と同じである第２の給液ユニットと、を含むことを特徴とする調理器具の制御システム。
【請求項９】
前記予め設定された重量の値を取得する第１の取得ユニットと、
前記調理器具の貯米タンク内の残量を検出する第１の検出ユニットと、
前記残量を前記予め設定された重量の値と比較する第１の比較ユニットと、
前記残量が、前記予め設定された重量の値より少ない時に報知する報知ユニットと、
前記残量が、前記予め設定された重量の値以上である時に、前記調理器具の洗米槽内に供給する前記供給ユニットと、を更に含むことを特徴とする請求項８に記載の調理器具の制御システム。
【請求項１０】
調理情報を受信して、前記調理情報に応じて、対応する予め設定された米と水との割合を選択する受信ユニットを更に含むことを特徴とする請求項９に記載の調理器具の制御システム。
【請求項１１】
前記予め設定された重量の値と前記予め設定された米と水との割合とに基づいて、前記第２の予め設定された量を算出する算出ユニットを更に含むことを特徴とする請求項１０に記載の調理器具の制御システム。
【請求項１２】
前記調理情報は、少なくとも、米の量、米の種類、タイプ、食感のいずれか一つ又はそれらの組合せを含むことを特徴とする請求項１０に記載の調理器具の制御システム。
【請求項１３】
前記洗浄ユニットは、前記洗浄指令を受信する前に、洗浄回数を取得し、前記洗浄回数に応じて前記第１の給液ユニットを繰り返して起動し、洗浄指令を受信して前記調理器具の調理物洗浄装置を駆動して調理物を洗浄し、前記廃棄物排出ユニットを起動することを特徴とする請求項８乃至１２のいずれか一項に記載の調理器具の制御システム。
【請求項１４】
前記廃棄物排出指令を受信する前に、洗浄後の水の濁度を検出する第２の検出ユニットと、
前記濁度を予め設定された濁度と比較する第２の比較ユニットと、
前記濁度が、前記予め設定された濁度より大きい時に、前記廃棄物排出ユニットを起動してから、前記第１の給液ユニットを起動する戻りユニットと、
前記濁度が、前記予め設定された濁度以下である時に、前記送り込みユニットを起動する実行ユニットと、を更に含むことを特徴とする請求項８乃至１２のいずれか一項に記載の調理器具の制御システム。
【請求項１５】
請求項８乃至１４のいずれか一項に記載の制御システムを含むことを特徴とする調理器具。
【請求項１６】
調理器具に用いられる米送り込み制御方法であって、
前記調理器具に入力された米量、及び予め設定された米と水との割合に基づいて、入力すべき水量を算出するステップＳ５１６と、
第１の給水指令を受信して、前記調理器具の洗浄室内に前記入力すべき水量より多くの給水量の水を搬送した後、給水システムを閉めるステップＳ５１８と、
第１の予め設定された時間が経過した後、排水を行うと共に、前記洗浄室内の水の残量をリアルタイムに検出し、前記水の残量が前記入力すべき水量と等しい時に、排水システムを閉めるステップＳ５２０と、
搬出指令を受信して、第２の予め設定された時間が経過した後、調理装置の搬出口を閉じるステップＳ５２２と、を含む米送り込み制御方法。
【請求項１７】
前記ステップＳ５１６の前に、
米入れ指令を受信し、入力された洗浄回数を受信して、前記洗浄室内に前記入力された米量の米を搬送した後、前記調理器具の米入れシステムを閉めるステップＳ５０６と、
洗浄した回数が、前記入力された洗浄回数より小さいかを判定し、前記洗浄した回数が、前記入力された洗浄回数より小さければ、ステップＳ５１０を行い、前記洗浄した回数が、前記入力された洗浄回数より小さくなければ、ステップＳ５１６を行うステップＳ５０８と、
第２の給水指令を受信して、前記洗浄室内に第２の予め設定された水量の水を搬送した後、前記給水システムを閉めるステップＳ５１０と、
洗浄指令を受信して、洗米を行い、第３の予め設定された時間が経過した後、洗浄システムを閉めるステップＳ５１２と、
廃棄物排出指令を受信して、廃棄物排出を行い、第４の予め設定された時間が経過した後、前記排水システムを閉め、前記洗浄した回数を一回増やすステップＳ５１４と、を更に含むことを特徴とする請求項１６に記載の米送り込み制御方法。
【請求項１８】
前記ステップＳ５０６の前に、
調理情報を受信するステップＳ５０２と、
前記調理情報に応じて、対応する前記予め設定された米と水との割合を選択するステップＳ５０４と、を更に含むことを請求項１７に記載の米送り込み制御方法。
【請求項１９】
前記調理情報は、少なくとも、米の量、米の種類、タイプ、食感のいずれか一つ又はそれらの組合せを含むことを特徴とする請求項１８に記載の米送り込み制御方法。
【請求項２０】
前記米の種類は、少なくとも、キビ、うるち米、インディカ米、香り米、もち米のいずれか一つを含み、
前記タイプは、少なくとも、お粥、水っぽいお粥、ご飯のいずれか一つを含み、
前記食感は、少なくとも、かため、普通、やわらかい、のいずれか一つを含むことを特徴とする請求項１９に記載の米送り込み制御方法。
【請求項２１】
前記ステップＳ５１８は、
前記入力された水量に基づいて、前記給水量を算出するステップＳ５１８２と、
前記給水量が、前記洗浄室の定格水量以上であるか否かを判定するステップＳ５１８４と、
前記給水量が、前記洗浄室の定格水量以上であれば、洗浄室内に定格水量の水を搬送するステップＳ５１８６と、
前記給水量が、前記洗浄室の定格水量以上でなければ、前記給水量に応じて、前記洗浄室内に水を搬送するステップＳ５１８８と、
前記洗浄室内の水量をリアルタイムに検出するステップＳ５１９０と、
前記洗浄室内の水量が前記給水量に達した時に、前記給水システムを閉めるステップＳ５１９２と、を含むことを特徴とする請求項１６に記載の米送り込み制御方法。
【請求項２２】
前記ステップＳ５２２の後に、
前記給水システムを開いて、前記洗浄室の内壁に第１の予め設定された水量の水をスプレーした後、前記給水システムを閉めるステップＳ５２４を更に含むことを特徴とする請求項１６乃至２１のいずれか一項に記載の米送り込み制御方法。
【請求項２３】
調理器具に用いられる米送り込み制御システムであって、
前記調理器具に入力された米量、及び予め設定された米と水との割合に基づいて、入力すべき水量を算出する第１の算出ユニットと、
第１の給水指令を受信して、前記調理器具の洗浄室内に前記入力すべき水量より多くの給水量の水を搬送した後、給水システムを閉める第１の制御ユニットと、
第１の予め設定された時間が経過した後、排水を行うと共に、前記洗浄室内の水の残量をリアルタイムに検出し、前記水の残量が前記入力すべき水量と等しい時に、排水システムを閉める第２の制御ユニットと、
搬出指令を受信して、第２の予め設定された時間が経過した後、調理装置の搬出口を閉じる第３の制御ユニットと、を含むことを特徴とする米送り込み制御システム。
【請求項２４】
米入れ指令を受信し、入力された洗浄回数を受信して、前記洗浄室内に前記入力された米量の米を搬送した後、前記調理器具の米入れシステムを閉める第４の制御ユニットと、
洗浄した回数が、前記入力された洗浄回数より少ないか否かを判定し、前記洗浄した回数が、前記入力された洗浄回数より少なければ、第５の制御ユニットを起動し、前記洗浄した回数が、前記入力された洗浄回数より少なくなければ、前記第１の算出ユニットを起動する第１の判定ユニットと、
第２の給水指令を受信して、前記洗浄室内に第２の予め設定された水量の水を搬送した後、前記給水システムを閉める第５の制御ユニットと、
洗浄指令を受信して、洗米を行い、第３の予め設定された時間が経過した後、洗浄システムを閉める第６の制御ユニットと、
廃棄物排出指令を受信して、廃棄物排出を行い、第４の予め設定された時間が経過した後、前記排水システムを閉め、前記洗浄した回数が一回増やす第７の制御ユニットと、を更に含むことを特徴とする請求項２３に記載の米送り込み制御システム。
【請求項２５】
調理情報を受信する第１の受信ユニットと、
前記調理情報に応じて、対応する前記予め設定された米と水との割合を選択する第１の選択ユニットと、を更に含むことを特徴とする請求項２４に記載の米送り込み制御システム。
【請求項２６】
前記調理情報は、少なくとも、米の量、米の種類、タイプ、食感のいずれか一つ又はそれらの組合せを含むことを特徴とする請求項２５に記載の米送り込み制御システム。
【請求項２７】
前記米の種類は、少なくとも、キビ、うるち米、インディカ米、香り米、もち米のいずれか一つを含み、
前記タイプは、少なくとも、お粥、水っぽいお粥、ご飯のいずれか一つを含み、
前記食感は、少なくとも、かため、普通、やわらかい、のいずれか一つを含むことを特徴とする請求項２６に記載の米送り込み制御システム。
【請求項２８】
前記第１の制御ユニットは、
前記入力すべき水量に基づいて、前記給水量を算出する第２の算出ユニットと、
前記給水量が、前記洗浄室の定格水量以上であるか否かを判定する第２の判定ユニットと、
前記給水量が、前記洗浄室の定格水量以上であれば、洗浄室内に定格水量の水を搬送する第１の実行ユニットと、
前記給水量が、前記洗浄室の定格水量以上でなければ、前記給水量に応じて、前記洗浄室内に水を搬送する第２の実行ユニットと、
前記洗浄室内の水量をリアルタイムに検出する第１の検出ユニットと、
前記洗浄室内の水量が前記給水量に達した時に、前記給水システムを閉める第３の実行ユニットと、を含むことを特徴とする請求項２４に記載の米送り込み制御システム。
【請求項２９】
前記給水システムを開いて、前記洗浄室の内壁に第１の予め設定された水量の水をスプレーした後、前記給水システムを閉める第８の制御ユニットを更に含むことを特徴とする請求項２４乃至２８のいずれか一項に記載の米送り込み制御システム。
【請求項３０】
釜体と上蓋を含む調理器具であって、
前記上蓋に設けられ、底壁に送り込み穴が設けられ、側壁に廃棄物排出穴が設けられる洗浄室と、
前記廃棄物排出穴と連通する排水システムと、
前記洗浄室と連通する給水システムと、
前記送り込み穴を開閉する送り込みシステムと、
前記調理器具の外壁に設けられ、情報を入力するコントロールパネルと、
請求項２４乃至２９のいずれか一項に記載の米送り込み制御システムと、を含むことを特徴とする調理器具。
【請求項３１】
洗浄装置及び米入れ装置を更に含むことを特徴とする請求項３０に記載の調理器具。
【請求項３２】
前記洗浄室における米の量と米と水との総重量を検出する質量検出器、及び／又は、
計時すると共に、前記給水システムを制御し、前記排水システムを開閉するタイマーを更に含むことを特徴とする請求項３０又は３１に記載の調理器具。
【発明の詳細な説明】
【技術分野】
【０００１】
本願は、２０１６年１２月１６日に中国特許庁に出願された、出願番号が第２０１６１１１７３９０３．５号であり、発明の名称が「調理装置の制御方法、及び制御システム」である中国特許出願と、２０１６年１２月１６日に中国特許庁に出願された、出願番号が第２０１６１１１７１０４０．８号であり、発明の名称が「米送り込み制御方法、米送り込み制御システム、及び調理器具」である中国特許出願との優先権を主張し、その内容の全てを援用することにより、本願に取り入れる。
【０００２】
本発明は、家庭用電気器具に関し、特に、調理装置の制御方法及び制御システム、米送り込み制御方法、米送り込み制御システム、及び調理器具に関する。
【背景技術】
【０００３】
現在、市販されている炊飯器などの自動調理器具では、調理物の洗浄は、主に釜体洗浄、又は外で洗浄した後、パイプを通して調理物を釜体に搬送するという二つの方式によって行い、釜体洗浄の場合には、調理物廃棄物の排出が困難となり、外で調理物を洗浄した後、パイプを通して調理物を釜体に搬送する場合には、調理物がパイプ内に付着しやすくなる。
【０００４】
また、従来の調理器具には、高度的に自動化された自動調理装置が不足しているとともに、自動調理の過程において、食材の洗浄効果が乏しいという問題がある。また、食材の洗浄及び自動調理の過程も最適化する必要がある。
【発明の概要】
【発明が解決しようとする課題】
【０００５】
本発明は、従来技術問題の少なくとも一つを解決することを目的とする。
【０００６】
本発明は、調理装置の制御方法を提供することを第１の目的とする。
【０００７】
本発明は、調理制御システムを提供することを第２の目的とする。
【０００８】
本発明は、調理器具を提供することを第３の目的とする。
【０００９】
本発明は、米送り込み制御方法を提供することを第４の目的とする。
【００１０】
本発明は、米送り込み制御システムを提供することを第５の目的とする。
【００１１】
本発明は、上記米送り込み制御システムを含む調理器具を提供することを第６の目的とする。
【課題を解決するための手段】
【００１２】
そこで、本発明の第１の目的によれば、本発明は、供給指令を受信して、調理器具の洗米槽内に予め設定された重量の調理物を入れるステップＳ１０２と、第１の給液指令を受信して、洗米槽内に第１の予め設定された量の水を注入するステップＳ１０４と、洗浄指令を受信、調理器具の調理物洗浄装置を駆動して調理物を洗浄するステップＳ１０６と、廃棄物排出指令を受信して、調理物の洗浄を停止させ、洗米槽内の水を排出するステップＳ１０８と、送り込み指令を受信して、洗米槽内に第３の予め設定された量の水を注入した後、洗米槽の送り込み弁を開いて、洗米槽における調理物と水の混合物を調理器具の内釜に送り込むステップＳ１１０と、第２の給液指令を受信して、洗米槽内に第２の予め設定された量の水を注入し、第２の予め設定された量と第３の予め設定された量との合計は、調理に必要な水量と同じであるステップＳ１１２と、を含む調理器具の制御方法を提供する。
【００１３】
本発明で提供する調理装置の制御方法によれば、まず、米箱から洗米槽に自動的に供給することを実現し、具体的な供給方式は、風パイプ搬送、スクリュー搬送、モーターベルト搬送などを採用することができ、ここでは自動供給を実現するための制限はなく、第２に、給液指令を受信した後、米箱内の調理物を洗浄するように、洗米槽内に予め設定された量の水を自動的に注入し、具体的に、水弁又は水ポンプによって外部の水源を制御することができ、パイプが容器本体の給水パイプに連結され、洗米槽に入り、水弁と水ポンプとをオンにすることを制御することで、給液と給液の停止とを制御して、給液の自動化を実現し、第３に、供給と給液を完成した後、調理物洗浄装置に洗浄指令を発信して、調理物洗浄装置は、洗米槽における調理物を洗浄し始め、洗米の方式は、扇風機又はエアーポンプを風力源として、水を転がして洗米するように駆動することができ、攪拌装置を使って調理物と水を攪拌して洗米することもでき、洗米の自動化を実現し、第４に、調理物を予め設定された時間洗浄した後、廃棄物排出指令を発信して、洗浄後の水を洗米槽から排出し、廃棄物排出の自動化を実現し、第５に、洗米を完成した後、米送り込み装置に洗米指令を発信し、洗米槽内に第３の予め設定された量の水を注入した後、洗米槽の送り込み弁を開いて、米を内釜に送り込んで、米送り込みの自動化を完成し、洗米槽における調理物は米と水との混合状態となるように、再び洗米槽内に第３の予め設定された量の水を注入し、流動性が良好で、送り込み過程の円滑性を実現すると同時に、調理物のみが送り込まれる場合に、流動性が悪く、大量の調理物が洗米槽本体に付着して、清浄し難く且つ変質し易いことを避けることができるため、ユーザーの飲食安全性を確保し、ユーザー体験を向上し、さらに、再び洗米槽内に調理に必要な予め設定された量の水を注入すると共に、洗米槽の容器本体に付着した残りの調理物に対して洗浄の作用がある。本発明で提供する調理装置の制御方法によって、調理物の自動洗浄及び自動送り込みの過程を実現し、調理装置の利用中の手動操作を減らして、調理装置の自動化度を向上すると共に、調理物の清潔度と食品の安全性を向上させる。
【００１４】
また、本発明で提供する上記技術的手段の調理装置の制御方法によれば、さらに以下のような付加的な技術的特徴を有する。
【００１５】
上記技術的手段において、供給指令を受信して、調理器具の洗米槽内に予め設定された重量の調理物を入れるステップの前に、予め設定された重量の値を取得することと、調理器具の貯米タンク内の残量を検出することと、残量を予め設定された重量の値と比較することと、残量が予め設定された重量の値より少ない時に報知することと、残量が予め設定された重量の値以上である時に、調理器具の洗米槽内に供給することと、を更に含むことが好ましい。
【００１６】
当該技術的手段において、洗米槽内に供給する前に、ユーザーは、選択ボタンを使って調理しようとする調理物重量を選択することができ、直接入力の方式で調理しようとする調理物重量を入力することもでき、供給しようとする予め設定された重量の値を取得し、調理器具は同時に、米箱内の残りの調理物量を検出して、取得したユーザーが入力した調理しようとする調理物重量を残りの調理物量と比較して、残りの調理物量がユーザーの今回の調理を満たすかどうかを判定し、ユーザーの今回の調理ニーズが満たされていない場合に、貯米タンク内の調理物量が不十分であり、補充される必要があることをユーザーに報知し、さらに、ユーザーに報知する方式は、音、照明、音声などの少なくとも一つ又はそれらの組合せであり得るが、それらに限定されず、さらに、ユーザーが残りの調理物量を直観的に理解できるように、残りの調理物量を表示し、タイムリーに補充することができ、残りの調理物量が今回の調理を満たすと、洗米槽内に供給し始め、ユーザー体験を向上させる。
【００１７】
上記いずれかの技術的手段において、調理情報を受信して、調理情報に応じて、対応する前記予め設定された米と水との割合を選択することを更に含むことが好ましい。
【００１８】
当該技術的手段において、洗米槽内に供給する前に、取得した調理情報、ユーザーが登録した調理情報に応じて、対応する予め設定された米と水との割合を選択することを更に含み、これによって、調理後の食物がユーザーの好みニーズを満たし、ユーザーの利用ニーズを向上させる。
【００１９】
上記いずれかの技術的手段において、予め設定された重量の値と予め設定された米と水との割合とに基づいて、前記第２の予め設定された量を算出することを更に含むことが好ましい。
【００２０】
当該技術的手段において、取得した調理しようとする調理物重量の値と、ユーザー調理ニーズを満たす米と水との割合とに基づいて、調理に必要となる水の第２の予め設定された量を算出し、内釜への送り込みを完成した後、内釜に第２の予め設定された量の水を注入することによって、ユーザーニーズを満たす食物を調理することができ、ユーザーの利用満足度を向上させ、個性化調理を実現する。
【００２１】
上記いずれかの技術的手段において、調理情報は、少なくとも、米の量、米の種類、タイプ、食感のいずれか一つ又はそれらの組合せを含むことが好ましい。
【００２２】
当該技術的手段において、調理情報は、少なくとも、米の量、米の種類、タイプ、食感の一つ又はそれらの組合せを含むが、それらに限定されるものではなく、具体的に、米の種類は、少なくとも、キビ、うるち米、インディカ米、香り米、もち米のいずれか一つを含み、タイプは、少なくとも、お粥、水っぽいお粥、ご飯のいずれか一つを含み、食感は、少なくとも、かため、普通、やわらかい、のいずれか一つを含み、ユーザー入力の調理情報に基づいて、ユーザーニーズを満たす食物を調理するために必要となる注液量を算出し、ユーザーの利用満足度を向上させ、個性化調理を実現する。上記例挙した種類はそれらに限定されず、調理器具は、ユーザーの生活習慣に従って学習し記憶することができ、ユーザーの飲食習慣を満たす。ユーザー体験を向上させる。
【００２３】
上記いずれかの技術的手段において、第１の給液指令を受信して、洗米槽内に第１の予め設定された量の水を注入するステップの前に、洗浄回数を取得し、洗浄回数に応じて、ステップＳ１０４からステップＳ１０８までを繰り返すことを更に含むことが好ましい。
【００２４】
当該技術的手段において、調理物の洗浄効果を確保するために、最初の給液の前に、ユーザーが入力した洗浄回数を取得して、ユーザー予め設定された洗浄回数に応じて、調理物を洗浄することを更に含み、これによって、ユーザーニーズを満たして、調理物洗浄の清潔度を確保し、飲食衛生を確保することができ、さらに、洗浄回数は、異なるユーザーの清潔度に対するニーズに応じて、カスタマイズすることができ、いくつかのモードを事前に設定することもでき、ユーザーは、自分のニーズに従って登録することができ、操作は便利であり、利用体験を向上させる。
【００２５】
上記いずれかの技術的手段において、廃棄物排出指令を受信して、調理物の洗浄を停止させ、洗米槽内の水を排出するステップの前に、洗浄後の水の濁度を検出することと、前記濁度を予め設定された濁度と比較することと、前記濁度が、前記予め設定された濁度より大きい時に、ステップＳ１０８を完成した後、ステップＳ１０４に戻ることと、前記濁度が、前記予め設定された濁度以下である時に、ステップＳ１１０に入ることとを更に含むことが好ましい。
【００２６】
当該技術的手段において、調理物清潔効果を確保する方式は、最初の調理物洗浄を完成した後、水の濁度を検出して、当該濁度を予め設定された濁度と比較し、予め設定された濁度は、調理物洗浄のニーズを満たす時の水濁度であり、比較した結果は、実際の濁度が、予め設定された濁度より大きい時に、廃棄物排出を完成した後、給液し続けるように洗浄に戻り、比較結果は、実際の濁度が予め設定された濁度より小さい時に、廃棄物排出を完成した後、内釜に送り込む操作を行い、これによって、調理物の洗浄が更に徹底的であることを確保し、ユーザーの利用満足度を向上させる。
【００２７】
本発明の第２の目的によれば、本発明は、供給指令を受信して、前記調理器具の洗米槽内に予め設定された重量の調理物を入れる供給ユニットと、第１の給液指令を受信して、前記洗米槽内に第１の予め設定された量の水を注入する第１の給液ユニットと、洗浄指令を受信して、前記調理器具の調理物洗浄装置を駆動して調理物を洗浄する洗浄ユニットと、廃棄物排出指令を受信して、前記調理物の洗浄を停止させ、前記洗米槽内の水を排出する廃棄物排出ユニットと、送り込み指令を受信して、洗米槽内に第３の予め設定された量の水を注入した後、前記洗米槽の送り込み弁を開いて、前記洗米槽における調理物と水の混合物を前記調理器具の内釜に送り込む送り込みユニットと、第２の給液指令を受信して、前記洗米槽内に第２の予め設定された量の水を注入した後、ボールバルブを閉める第２の給液ユニットと、を含む調理器具の制御システムを提供する。
【００２８】
本発明で提供する調理器具の制御システムは、まず、供給ユニットによって、米箱から洗米槽に自動的に供給することを実現し、具体的に、供給方式は風パイプ搬送、スクリュー搬送、モーターベルト搬送などを採用することができ、ここでは自動供給を実現するための制限はなく、第２に、第１の給液ユニットは、給液指令を受信した後、米箱内の調理物を洗浄するように、洗米槽内に予め設定された量の水を自動的に注入し、具体的に、水弁又は水ポンプによって外部の水源を制御することができ、パイプが容器本体の給水パイプに連結され、洗米槽に入り、水弁と水ポンプのオンを制御することで、給液と給液の停止とを制御して、給液の自動化を実現し、第３に、供給と給液を完成した後、調理物洗浄装置に洗浄指令を発信して、洗浄ユニットは、調理物洗浄装置を制御して洗米槽における調理物を洗浄し始め、洗米の方式は、扇風機又はエアーポンプを風力源として、水を転がして洗米するように駆動することができ、攪拌装置を使って調理物と水を攪拌して洗米することもでき、洗米の自動化を実現し、第４に、調理物を予め設定された時間洗浄した後、廃棄物排出ユニットに廃棄物排出指令を発信して、洗浄後の水を洗米槽から排出し、廃棄物排出の自動化を実現し、第５に、洗米を完成した後、送り込みユニットに洗米指令を発信し、洗米槽内に第３の予め設定された量の水を注入した後、洗米槽の送り込み弁を開いて、米を内釜に送り込んで、米送り込みの自動化を完成し、洗米槽における調理物は米と水との混合状態となるように、再び洗米槽内に第３の予め設定された量の水を注入し、流動性が良好で、送り込み過程の円滑性を実現すると同時に、調理物のみが送り込まれる場合に、流動性が悪く、大量の調理物が洗米槽本体に付着して、清浄し難く且つ変質し易いことを避けることができるため、ユーザー飲食の安全性を確保し、ユーザー体験を向上し、さらに、第２の給液ユニットは、洗米槽内に調理に必要な予め設定された量の水を注入すると共に、洗米槽の容器本体に付着した残りの調理物に対して洗浄の作用がある。本発明で提供する調理装置の制御方法によって、調理物の自動洗浄及び自動送り込みの過程を実現し、調理装置の利用中の手動操作を減らして、調理装置の自動化度を向上すると共に、調理物の清潔度と食品の安全性を向上させる。
【００２９】
また、本発明で提供する上記技術的手段の調理装置の制御方法によれば、さらに以下のような付加的な技術的特徴を有する。
【００３０】
上記技術的手段において、前記予め設定された重量の値を取得する第１の取得ユニットと、調理器具の貯米タンク内の残量を検出する第１の検出ユニットと、残量を予め設定された重量の値と比較する第１の比較ユニットと、残量が予め設定された重量の値より少ない時に報知する報知ユニットと、残量が前記予め設定された重量の値以上である時に、調理器具の洗米槽内に供給する供給ユニットと、を更に含むことが好ましい。
【００３１】
当該技術的手段において、洗米槽内に供給する前に、第１の取得ユニットは供給しようとする予め設定された重量の値を取得し、ユーザーは、選択ボタンを使って調理しようとする調理物重量を選択することができ、直接入力の方式で調理しようとする調理物重量を入力することもでき、第１の検出ユニットは、同時に米箱内の残りの調理物量を検出して、第１の比較ユニットは、取得したユーザーが入力した調理しようとする調理物重量を残りの調理物量と比較して、残りの調理物量がユーザーの今回の調理を満たすかどうかを判定し、ユーザーの今回の調理ニーズが満たされていない場合には、報知ユニットは、貯米タンク内の調理物量が不十分であり、補充される必要があることをユーザーに報知し、さらに、ユーザーに報知する方式は、音、照明、音声などの少なくとも一つ又はそれらの組合せであり得るが、それらに限定されず、さらに、ユーザーが残りの調理物量を直観的に理解できるように、残りの調理物量を表示し、タイムリーに補充することができ、残りの調理物量が調理を満たすと、洗米槽内に供給し始め、ユーザー体験を向上させる。
【００３２】
上記いずれかの技術的手段において、調理情報を受信して、調理情報に応じて、対応する予め設定された米と水との割合を選択する受信ユニットを更に含むことが好ましい。
【００３３】
当該技術的手段において、洗米槽内に供給する前に、受信ユニットによって調理情報を取得し、ユーザーが登録した調理情報に応じて、対応する予め設定された米と水との割合を選択することを更に含み、これによって、調理後の食物がユーザーの好みニーズを満たし、ユーザーの利用ニーズを向上させる。
【００３４】
上記いずれかの技術的手段において、予め設定された重量の値と予め設定された米と水との割合とに基づいて、第２の予め設定された量を算出する算出ユニットを更に含むことが好ましい。
【００３５】
当該技術的手段において、算出ユニットは、取得した調理しようとする調理物重量の値とユーザー調理ニーズを満たす米と水との割合とに基づいて、調理に必要となる水の第２の予め設定された量を算出し、内釜への送り込みを完成した後、内釜に第２の予め設定された量の水を注入することによって、ユーザーニーズを満たす食物を調理することができ、ユーザーの使用満足度を向上させ、個性化調理を実現する。
【００３６】
上記いずれかの技術的手段において、前記調理情報は、少なくとも、米の量、米の種類、タイプ、食感のいずれか一つ又はそれらの組合せを含むことが好ましい。
【００３７】
当該技術的手段において、調理情報は、少なくとも、米の量、米の種類、タイプ、食感のいずれか一つ又はそれらの組合せを含むが、それらに限定されるものではなく、具体的に、米の種類は、少なくとも、キビ、うるち米、インディカ米、香り米、もち米のいずれか一つを含み、タイプは、少なくとも、お粥、水っぽいお粥、ご飯のいずれか一つを含み、食感は、少なくとも、かため、普通、やわらかい、のいずれか一つを含み、ユーザー入力の調理情報に応じて、ユーザーニーズを満たす食物を調理するために必要となる注液量を算出し、ユーザーの利用満足度を向上させ、個性化調理を実現する。上記例挙した種類はそれらに限定されず、調理器具は、ユーザーの生活習慣に従って学習し記憶することができ、ユーザーの飲食習慣を満たす。ユーザー体験を向上させる。
【００３８】
上記いずれかの技術的手段において、洗浄ユニットは、洗浄指令を受信する前に、洗浄回数を取得し、洗浄回数に応じて、第１の給液ユニットを繰り返して起動し、洗浄指令を受信して調理器具の調理物洗浄装置を駆動して調理物を洗浄し、廃棄物排出ユニットを起動することが好ましい。
【００３９】
当該技術的手段において、調理物の洗浄効果を確保するために、最初の給液の前に、洗浄ユニットは、ユーザーが入力した洗浄回数を取得して、ユーザー予め設定された洗浄回数に応じて、調理物を洗浄することを更に含み、これによって、ユーザーニーズを満たして、調理物洗浄の清潔度を確保し、飲食衛生を確保することができ、さらに、洗浄回数は、異なるユーザーの清潔度に対するニーズに応じて、カスタマイズすることができ、いくつかのモードを事前に設定することもでき、ユーザーは、自分のニーズに従って登録することができ、操作は便利であり、使用体験を向上させる。
【００４０】
上記いずれかの技術的手段において、前記廃棄物排出指令を受信する前に、洗浄後の水の濁度を検出する第２の検出ユニットと、前記濁度を予め設定された濁度と比較する第２の比較ユニットと、前記濁度が、前記予め設定された濁度より大きい時に、前記廃棄物排出ユニットを起動してから、前記第１の給液ユニットを起動する戻りユニットと、前記濁度が、前記予め設定された濁度以下である時に、前記送り込みユニットを起動する実行ユニットと、を更に含むことが好ましい。
【００４１】
当該技術的手段において、調理物清潔効果を確保する方式は、最初の調理物洗浄を完成した後、第２の検出ユニットは、水の濁度を検出して、第２の比較ユニットは、当該濁度を予め設定された濁度と比較し、予め設定された濁度は、調理物洗浄のニーズを満たす時の水濁度であり、比較した結果は、実際の濁度が、予め設定された濁度より大きい時に、廃棄物排出を完成した後、給液し続けるように洗浄に戻り、比較結果は、実際の濁度が予め設定された濁度より小さい時に、廃棄物排出を完成した後、内釜に送り込む操作を行い、これによって、調理物の洗浄が更に徹底的であることを確保し、ユーザーの利用満足度を向上させる。
【００４２】
本発明の第３の目的によれば、さらに、上記技術的手段のいずれか一つに記載の制御システムを含む調理器具を提供する。
【００４３】
本発明で提供する調理器具は、上記いずれかの技術的手段に記載の制御システムを含むため、当該システムのすべての有益な効果を有し、ここで詳細な説明を省略する。
【００４４】
本発明の第４の目的によれば、調理器具に入力された米量、及び予め設定された米と水との割合に基づいて、入力すべき水量を算出するステップＳ５１６と、第１の給水指令を受信して、調理器具の洗浄室内に、入力すべき水量より多くの給水量の水を搬送した後、給水システムを閉めるステップＳ５１８と、第１の予め設定された時間が経過した後、排水を行うと共に、洗浄室内の水の残量をリアルタイムに検出し、水の残量が入力すべき水量と等しい時に、排水システムを閉めるステップＳ５２０と、搬出指令を受信して、第２の予め設定された時間が経過した後、調理装置の搬出口を閉じるステップＳ５２２と、を含む、調理器具に用いられる米送り込み制御方法を提供する。
【００４５】
本発明で提供する米送り込み制御方法によれば、洗浄室内に米と水との割合に必要となる水量を超えるように加えることによって、洗浄室内壁に付着した米を全部底に沈めて、それから、米と水との割合を超えた水を排出し、底に沈んだ米を全部調理器具の内釜に入れ、米の排出が清潔で徹底的であり、洗浄室内壁に付着した米が排出できない問題を有効に解決した。本願において、質量検出方式によって、調理器具に入力された米量を検出することができ、計時方式によって、米入れシステムの開始時間を制御して、入力された米量を制御することもでき、対応的に、質量検出方式によって、洗浄室内の米と水との総重量を検出してから、入力された米量を減らして洗浄室内の水量が得られ、水量が入力された水量までに減った時に、排水システムを閉めることができ、計時方式によって、給水システムの開始時間を検出して給水量を制御し、同時に、計時方式によって、排水システムの開始時間を検出して排出水量を制御して、米と水との割合を満たした入力すべき水量を保留することもでき、単位時間当たりの米入れ、給水及び排水の量は既知であることが好ましい。本発明において、洗浄後の水と米との混合物や、無洗米と適量な水にもかかわらず、洗浄室内に米と水との割合を超える量の水を加えることで、洗浄室内壁に付着した米を全部底に沈ませ、同時に、排水システムによって洗浄室内の水の量を補正し、米送り込みは清潔で徹底的であり、米と水との割合は破壊されず、ユーザー体験の効果が良い。
【００４６】
また、本発明で提供する上記技術的手段に係る米送り込み制御方法によれば、さらに以下のような付加的な技術的特徴を有する。
【００４７】
上記技術的手段において、ステップＳ５１６の前に、米入れ指令を受信し、入力された洗浄回数を受信して、洗浄室内に入力された米量の米を搬送した後、調理器具の米入れシステムを閉めるステップＳ５０６と、洗浄した回数は、入力洗浄回数より小さいかを判定し、洗浄した回数が、入力された洗浄回数より小さければ、ステップＳ５１０を行い、洗浄した回数が、入力された洗浄回数より小さくなければ、ステップＳ５１６を行うステップＳ５０８と、第２の給水指令を受信して、洗浄室内に第２の予め設定された水量の水を搬送した後、給水システムを閉めるステップＳ５１０と、洗浄指令を受信して、洗米を行い、第３の予め設定された時間が経過した後、洗浄システムを閉めるステップＳ５１２と、廃棄物排出指令を受信して、廃棄物排出を行い、第４の予め設定された時間が経過した後、排水システムを閉め、洗浄した回数を一回増やすステップＳ５１４と、を更に含むことが好ましい。
【００４８】
当該技術的手段において、先に米を洗浄して廃棄物を排出することができ、ユーザーは、米の清潔度に応じて、必要とされる洗浄回数を入力し、同じバッチの米に対して複数の洗浄を行い、清潔効果が良い。
【００４９】
上記技術的手段において、ステップＳ５０６の前に、調理情報を受信するステップＳ５０２、調理情報に応じて、対応する予め設定された米と水との割合を選択するステップＳ５０４と、を更に含むことが好ましい。
【００５０】
当該技術的手段において、調理情報を設定し、異なる予め設定された米と水との割合に対応することによって、異なる調理状況に適応することができ、製品の適用範囲を広げる。
【００５１】
上記いずれかの技術的手段において、調理情報は、少なくとも、米の量、米の種類、タイプ、食感のいずれか一つ又はそれらの組合せを含むことが好ましい。
【００５２】
当該技術的手段において、調理情報が米の量、米の種類、タイプ、及び食感に細かく分類され、米の種類の異なりによって、吸水能力も異なり、必要となる水量も異なり、調理タイプ及びユーザー好みの食感も、必要とされる水量に影響を及ぼし、それらの調理情報を設定することによって、予め設定された米と水との割合が異なるニーズを満たすことができる。
【００５３】
上記技術的手段において、米の種類少なくとも、キビ、うるち米、インディカ米、香り米、もち米のいずれか一つを含み、タイプは、少なくとも、お粥、水っぽいお粥、ご飯のいずれか一つを含み、食感は、少なくとも、かため、普通、やわらかい、のいずれか一つを含むことが好ましい。
【００５４】
当該技術的手段において、調理情報が更に細かく分かれて、米の種類は、日常調理用の米の種類を含み、水の必要量に応じて、タイプは水っぽいお粥、お粥、及びご飯に分類され、食感に対し、異なる好みとニーズに適応するために、水の必要量が少ないものから多いものまで、かため、普通、及びやわらかいに分かれて、予め設定された米と水との割合がユーザーの個性化ニーズを満たすことを確保し、適用範囲が広がって、ユーザー体験を向上させる。
【００５５】
上記いずれかの技術的手段において、ステップＳ５１８は、入力すべき水量に基づいて、給水量を算出するステップＳ５１８２と、給水量は、洗浄室の定格水量以上であるか否かを判定するステップＳ５１８４と、給水量が、洗浄室の定格水量以上であれば、洗浄室内に定格水量の水を搬送するステップＳ５１８６と、給水量が、洗浄室の定格水量以上でなければ、給水量に従って、洗浄室内に水を搬送するステップＳ５１８８と、洗浄室内の水量をリアルタイムに検出するステップＳ５１９０と、洗浄室内の水量が給水量に達した時に、給水システムを閉めるステップＳ５１９２と、を含むことが好ましい。
【００５６】
当該技術的手段において、算出された入力すべき水量に基づいて、調理器具内に搬送するのに必要となる給水量をさらに算出し、例えば、入力すべき水量の１．５倍は給水量であり、給水量と洗浄室定格水量の大きさを比較し、給水量は定格水量以上である時に、洗浄室内に定格水量の水を加えることで、洗浄室内壁に付着した米を全部底に沈ませ、給水量が定格水量より少ない時に、洗浄室内に算出された給水量の水を加えるだけで、洗浄室内壁に付着した米を全部底に沈ませることを満足でき、節水であり、洗浄室内壁に付着した米が排出し難い問題を有効に解決することができる。
【００５７】
上記いずれかの技術的手段において、ステップＳ５２２の後に、給水システムを開いて、洗浄室の内壁に第１の予め設定された水量の水をスプレーした後、給水システムを閉めるムステップＳ５２４を更に含むことが好ましい。
【００５８】
当該技術的手段において、米を送り込んだ後、米は洗浄室底壁に少し残り、洗浄室内に水を再びスプレーすることによって、洗浄室底壁に残っている米が調理器具の内釜に洗い流され、同時に、スプレー水量を制御し、再びスプレーした水が米と水との割合を破壊することを防止する。本願において、計時方式によって、給水システムの開始時間を制限し、さらにスプレー水量を制御することができ、洗浄室内の水量を検出することによって、スプレー水量の検出及び制御を実現することが好ましい。
【００５９】
本発明の第５の目的によれば、調理器具に入力された米量、及び予め設定された米と水との割合に基づいて、入力すべき水量を算出する第１の算出ユニットと、第１の給水指令を受信して、調理器具の洗浄室内に、入力すべき水量より多くの給水量の水を搬送した後、給水システムを閉める第１の制御ユニットと、第１の予め設定された時間が経過した後、排水を行うと共に、洗浄室内の水の残量をリアルタイムに検出し、水の残量が入力水量と等しい時に、排水システムを閉める第２の制御ユニットと、搬出指令を受信して、第２の予め設定された時間が経過した後、調理装置の搬出口を閉じる第３の制御ユニットと、を含む、調理器具に用いられる米送り込み制御システムを提供する。
【００６０】
本発明で提供する米送り込み制御システムによれば、第１の制御ユニットによって、洗浄室内に米と水との割合に必要となる水量を超えるように加えることによって、洗浄室内壁に付着した米を全部底に沈ませ、更に第２の制御ユニットによって、米と水との割合を超えた水を排出し、底に沈んだ米を全部調理器具の内釜に入れ、米の排出が清潔で徹底的であり、洗浄室内壁に付着した米が排出できない問題を有効に解決した。本願において、質量検出方式によって、調理器具に入力された米量を検出することができ、計時方式によって、米入れシステムの開始時間を制御して、入力された米量を制御することもでき、対応的に、質量検出方式によって、洗浄室内の米と水との総重量を検出してから、入力された米量を減らして洗浄室内の水量が得られ、水量が入力すべき水量までに減った時に、排水システムを閉めることができ、計時方式によって、給水システムの開始時間を検出して給水量を制御し、同時に、計時方式によって、排水システムの開始時間を検出して排出水量を制御して、米と水との割合を満たした入力すべき水量を保留することもでき、単位時間当たりの米入れ、給水及び排水の量は既知であることが好ましい。本発明において、洗浄後の水と米との混合物や、無洗米と適量な水にもかかわらず、洗浄室内に米と水との割合を超える量の水を加えることで、洗浄室内壁に付着した米を全部底に沈ませ、同時に、排水システムによって洗浄室内の水の量を補正し、米送り込みは清潔で徹底的であり、米と水との割合は破壊されず、ユーザー体験の効果が良い。
【００６１】
上記技術的手段において、米入れ指令を受信し、入力された洗浄回数を受信して、洗浄室内に入力された米量の米を搬送した後、調理器具の米入れシステムを閉める第４の制御ユニットと、洗浄した回数は、前記入力された洗浄回数より少ないか否かを判定し、洗浄した回数は、前記入力された洗浄回数より少なければ、第５の制御ユニットを起動し、洗浄した回数は、前記入力された洗浄回数より少なくなければ、第１の算出ユニットを起動する第１の判定ユニットと、第２の給水指令を受信して、洗浄室内に第２の予め設定された水量の水を搬送した後、給水システムを閉める第５の制御ユニットと、洗浄指令を受信して、洗米を行い、第３の予め設定された時間が経過した後、洗浄システムを閉める第６の制御ユニットと、廃棄物排出指令を受信して、廃棄物排出を行い、第４の予め設定された時間が経過した後、排水システムを閉め、洗浄した回数を一回増やす第７の制御ユニットと、を更に含むことが好ましい。
【００６２】
当該技術的手段において、先に米を洗浄して廃棄物を排出することができ、ユーザーは、米の清潔度に応じて、必要とされる洗浄回数を入力し、同じバッチの米に対して複数の洗浄を行い、清潔効果が良い。
【００６３】
上記技術的手段において、調理情報を受信する第１の受信ユニットと、調理情報に応じて、対応する予め設定された米と水との割合を選択する第１の選択ユニットと、を更に含むことが好ましい。
【００６４】
当該技術的手段において、第１の受信ユニットによって、ユーザーが設定した調理情報を受信し、第１の選択ユニットによって、調理情報に応じて、適当な米と水との割合を選択することで、異なる調理状況に適応することができ、製品の適用範囲を広げる。
【００６５】
上記技術的手段において、調理情報は、少なくとも、米の量、米の種類、タイプ、食感のいずれか一つ又はそれらの組合せを含むことが好ましい。
【００６６】
当該技術的手段において、調理情報が米の量、米の種類、タイプ、及び食感に細かく分類され、米の種類の異なりによって、吸水能力も異なり、必要となる水量も異なり、調理タイプ及びユーザー好みの食感も、必要とされる水量に影響を及ぼし、それらの調理情報を設定することによって、予め設定された米と水との割合が異なるニーズを満たすことができる。
【００６７】
上記技術的手段において、米の種類少なくとも、キビ、うるち米、インディカ米、香り米、もち米のいずれか一つを含み、タイプは、少なくとも、お粥、水っぽいお粥、ご飯のいずれか一つを含み、食感は、少なくとも、かため、普通、やわらかい、のいずれか一つを含むことが好ましい。
【００６８】
当該技術的手段において、調理情報が更に細かく分かれて、米の種類は、日常調理用の米の種類を含み、水の必要量に応じて、タイプは水っぽいお粥、お粥、及びご飯に分類され、食感に対し、異なる好みとニーズに適応するために、水の必要量が少ないものから多いものまで、かため、普通、及びやわらかいに分かれて、予め設定された米と水との割合がユーザーの個性化ニーズを満たすことを確保し、適用範囲が広がって、ユーザー体験を向上させる。
【００６９】
上記いずれかの技術的手段において、第１の制御ユニットは、入力すべき水量に基づいて、給水量を算出する第２の算出ユニットと、給水量は、洗浄室の定格水量以上であるか否かを判定する第２の判定ユニットと、給水量は、洗浄室の定格水量以上であれば、洗浄室内に定格水量の水を搬送する第１の実行ユニットと、給水量は、洗浄室の定格水量以上でなければ、給水量に応じて、洗浄室内に水を搬送する第２の実行ユニットと、洗浄室内の水量をリアルタイムに検出する第１の検出ユニットと、洗浄室内の水量が給水量に達した時に、給水システムを閉める第３の実行ユニットと、を含むことが好ましい。
【００７０】
当該技術的手段において、第２の算出ユニットによって、算出された入力すべき水量に基づいて、調理器具内に搬送するのに必要となる給水量を更に算出し、例えば、入力すべき水量の１．５倍は給水量であり、第２の判定ユニットによって、給水量と洗浄室定格水量の大きさを比較し、給水量は定格水量以上である時に、第１の実行ユニットによって、洗浄室内に定格水量の水を加えることで、洗浄室内壁に付着した米を全部底に沈ませ、給水量が定格水量より少ない時に、第２の実行ユニットによって、洗浄室内に算出された給水量の水を加えるだけで、洗浄室内壁に付着した米を全部底に沈ませることを満足でき、節水であり、洗浄室内壁に付着した米が排出し難い問題を有効に解決することができる。
【００７１】
上記いずれかの技術的手段において、米送り込み制御方法は、給水システムを開いて、洗浄室の内壁に第１の予め設定された水量の水をスプレーした後、給水システムを閉める第８の制御ユニットを更に含むことが好ましい。
【００７２】
当該技術的手段において、米を送り込んだ後、米は洗浄室底壁に少し残り、第８の制御ユニットによって、洗浄室内に水を再びスプレーすることで、洗浄室底壁に残っている米が調理器具の内釜に洗い流され、同時に、スプレー水量を制御し、再びスプレーした水が米と水との割合を破壊することを防止する。本願において、計時方式によって、給水システムの開始時間を制限し、さらにスプレー水量を制御することができ、洗浄室内の水量を検出することによって、スプレー水量の検出及び制御を実現することが好ましい。
【００７３】
本発明の第６の目的によれば、上蓋に設けられ、底壁に送り込み穴が設けられ、側壁に廃棄物排出穴が設けられる洗浄室と、廃棄物排出穴と連通する排水システムと、洗浄室と連通する給水システムと、送り込み穴を開閉するように設けられる送り込みシステムと、前記調理器具の外壁に設けられ、情報を入力するコントロールパネルと、上記いずれか一つの技術的手段に記載の米送り込み制御システムと、を含む、釜体と上蓋を有する調理器具を提供する。
【００７４】
本発明で提供する調理器具は、上記いずれか一つの技術的手段の米送り込み制御システムを採用し、全ての有益な効果を有し、排水システム、給水システム、送り込みシステム、及び操作パネルを有し、米と水との割合によって必要となる給水量を有効に求め、異なる調理ニーズに応じて、自動定量供水を実現して、正確に給水することができ、ユーザー体験を向上し、知能化を向上させる。
【００７５】
上記技術的手段において、洗浄装置及び米入れ装置を更に含むことが好ましい。
【００７６】
当該技術的手段において、調理器具は、洗浄機能と米入れ機能を更に含み、米を調理器具の洗浄室にいれた後、洗浄と廃棄物排出を先に行い、それから、入力された米量、及び予め設定された米と水との割合に基づいて、入力すべき水量を算出し、洗浄室に入力すべき水量を超える量の水を加えて、洗浄流動により洗浄室内壁に付着した米を全部底に沈ませて、送り込むことを行い、米の排出が清潔で徹底的である。無洗米であれば、直接に洗浄室内に入力された米量を超える量の水を加えることができ、洗米ステップを除く。
【００７７】
上記いずれかの技術的手段において、洗浄室における米の量と米と水との総重量を検出する質量検出器、及び／又は、計時すると共に、給水システムを制御し、排水システムを開閉するタイマーを更に含むことが好ましい。
【００７８】
当該技術的手段において、好ましいのは、質量検出器は、まず洗浄室に入れた、入力された米量を検出し、それから、洗浄室内の水と米の質量を検出して、引き算して洗浄室内の水量を求め、及び、入力された米量と算出された給水量に基づいて、米と水との割合に適応する水と米の重量を算出し、即ち、質量検出器は、質量の変化によって、洗浄室内の水と米の質量が、いつ米と水との割合に適応する質量に達するかを判定し、タイマー、給水システムに対して計時制御を行い、入力したい米量が得られてから、排水システムを制御して、給水システムを制御して洗浄室に給水量を加え、それから、排水システムを制御して、給水量を超えた水を排出し、単位時間当たり給水と排水の量は既知であり、洗浄室内水の変化を検出することを満たし、本願によって達成する有益な効果を実現する。
【００７９】
本発明の他の態様やメリットは以下の説明によって明確になり、又は本発明を実施することで理解できる。
【００８０】
本発明の上記及び／又は他の態様やメリットは以下の図面を結合した実施例の説明から明確になり、容易に理解することができる。
【図面の簡単な説明】
【００８１】
【図１】本発明の一実施例に係る調理器具の制御方法を示すフローチャートである。
【図２】本発明の他の実施例に係る調理器具の制御方法を示すフローチャートである。
【図３】本発明のさらに他の実施例に係る調理器具の制御方法を示すフローチャートである。
【図４】本発明の一実施例に係る調理器具の制御システムを示すフレームワーク図である。
【図５】本発明のさらに他の実施例に係る調理器具の制御システムを示すフレームワーク図である。
【図６】本発明の他の実施例に係る調理器具の制御システムを示すフレームワーク図である。
【図７】本発明一実施例に係る調理器具を示すフレームワーク図である。
【図８】本発明の第１の実施例で提供する米送り込み制御方法を示す概略フローチャートである。
【図９】本発明の第２の実施例で提供する米送り込み制御方法を示す概略フローチャートである。
【図１０】本発明の第３の実施例で提供する米送り込み制御方法を示す概略フローチャートである。
【図１１】本発明の第４の実施例で提供する米送り込み制御方法を示す概略フローチャートである。
【図１２】本発明の第５の実施例で提供する米送り込み制御方法を示す概略フローチャートである。
【図１３】本発明の第６の実施例で提供する米送り込み制御方法を示す概略フローチャートである。
【図１４】本発明の第１の実施例で提供する米送り込み制御システムを示す概略ブロック図である。
【図１５】本発明の第２の実施例で提供する米送り込み制御システムを示す概略ブロック図である。
【図１６】本発明の第３の実施例で提供する米送り込み制御システムを示す概略ブロック図である。
【図１７】本発明の第４の実施例で提供する米送り込み制御システムを示す概略ブロック図である。
【図１８】本発明第５の実施例で提供する米送り込み制御システムを示す概略ブロック図である。
【発明を実施するための形態】
【００８２】
本発明の上記目的、特徴、メリットを一層明確に理解するように、以下、図面と具体的な実施形態を結合して本発明を更に詳しく説明する。なお、矛盾しない限り、本願の実施例及び実施例中の特徴を組み合せすることができる。
【００８３】
本発明を充分に理解するように、以下の説明で多くの具体的な詳細を説明するが、本発明はここで説明する形態と異なる形態で実施することもできるので、本発明の保護範囲は以下で開示する具体的な実施例に限定されない。
【００８４】
以下、図１〜図７を参照して本発明に係る一部の実施例の前記調理装置の制御方法及び制御システムを説明する。
【００８５】
図１は、本発明の一実施例に係る調理器具の制御方法のフローチャートを示し、図１に示すように、当該制御方法は、供給指令を受信して、調理器具の洗米槽内に予め設定された重量の調理物を入れるステップＳ１０２と、第１の給液指令を受信して、洗米槽内に第１の予め設定された量の水を注入するステップＳ１０４と、洗浄指令を受信し、調理器具の調理物洗浄装置を駆動して調理物を洗浄するステップＳ１０６と、廃棄物排出指令を受信して、調理物の洗浄を停止させ、洗米槽内の水を排出するステップＳ１０８と、送り込み指令を受信して、洗米槽内に第３の予め設定された量の水を注入した後、洗米槽の送り込み弁を開いて、洗米槽における調理物と水の混合物を調理器具の内釜に送り込むステップＳ１１０と、第２の給液指令を受信して、洗米槽内に第２の予め設定された量の水を注入した後、送り込み弁を閉めるステップＳ１１２と、を含み、第２の予め設定された量と第３の予め設定された量との合計は、調理に必要な水量と同じである。
【００８６】
本発明で提供する調理装置の制御方法によれば、まず、米箱から洗米槽に自動的に供給することを実現し、具体的な供給方式は、風パイプ搬送、スクリュー搬送、モーターベルト搬送などを採用することができ、ここでは自動供給を実現するための制限はなく、第２に、給液指令を受信した後、米箱内の調理物を洗浄するように、洗米槽内に予め設定された量の水を自動的に注入し、具体的に、水弁又は水ポンプによって外部の水源を制御することができ、パイプが容器本体の給水パイプに連結され、洗米槽に入り、水弁と水ポンプとをオンにすることを制御することで、給液と給液の停止とを制御して、給液の自動化を実現し、第３に、供給と給液を完成した後、調理物洗浄装置に洗浄指令を発信して、調理物洗浄装置は、洗米槽における調理物を洗浄し始め、洗米の方式は、扇風機又はエアーポンプを風力源として、水を転がして洗米するように駆動することができ、攪拌装置を使って調理物と水を攪拌して洗米することもでき、洗米の自動化を実現し、第４に、調理物を予め設定された時間洗浄した後、廃棄物排出指令を発信して、洗浄後の水を洗米槽から排出し、廃棄物排出の自動化を実現し、第５に、洗米を完成した後、米送り込み装置に洗米指令を発信し、洗米槽内に第３の予め設定された量の水を注入した後、洗米槽の送り込み弁を開いて、米を内釜に送り込んで、米送り込みの自動化を完成し、洗米槽における調理物は米と水との混合状態となるように、再び洗米槽内に第３の予め設定された量の水を注入し、流動性が良好で、送り込み過程の円滑性を実現すると同時に、調理物のみが送り込まれる場合に、流動性が悪く、大量の調理物が洗米槽本体に付着して、清浄し難く且つ変質し易いことを避けることができるため、ユーザーの飲食安全性を確保し、ユーザー体験を向上し、さらに、再び洗米槽内に調理に必要な予め設定された量の水を注入すると共に、洗米槽の容器本体に付着した残りの調理物に対して洗浄の作用がある。本発明で提供する調理装置の制御方法によって、調理物の自動洗浄及び自動送り込みの過程を実現し、調理装置の利用中の手動操作を減らして、調理装置の自動化度を向上すると共に、調理物の清潔度と食品の安全性を向上させる。
【００８７】
図２は、本発明の他の実施例に係る調理器具の制御方法を示すフローチャートであり、図２に示すように、当該制御方法は、予め設定された重量の値を取得し、及び調理器具の貯米タンク内の残量を検出するステップＳ２０２と、残量が予め設定された重量の値より少ないか否かを判定するステップＳ２０４、残量が予め設定された重量の値より少ない時に報知し、残量は予め設定された重量の値以上である時に、調理器具の洗米槽内に供給するステップＳ２０８と、調理情報を受信して、調理情報に応じて、対応する予め設定された米と水との割合を選択するステップＳ２１０と、予め設定された重量の値、及び予め設定された米と水との割合とに基づいて、第２の予め設定された量を算出するステップＳ２１２と、供給指令を受信し、調理器具の洗米槽内に予め設定された重量の調理物を入れるステップＳ２１４と、洗浄回数を取得し、洗浄回数に応じて、ステップＳ２１６からステップＳ２２０までを繰り返し行うステップＳ２１４と、第１の給液指令を受信して、洗米槽内に第１の予め設定された量の水を注入するステップＳ２１６と、洗浄指令を受信して、調理器具の調理物洗浄装置を駆動して調理物を洗浄するステップＳ２１８と、廃棄物排出指令を受信して、調理物の洗浄を停止させ、洗米槽内の水を排出するステップＳ２２０と、第３の給液指令を受信して、洗米槽内に第３の予め設定された量の水を注入するステップＳ２２２と、送り込み指令を受信して、洗米槽の送り込み弁を開いて、洗米槽における調理物と水混合物を調理器具の内釜に送り込むステップＳ２２４と、第２の給液指令を受信して、洗米槽内に第２の予め設定された量の水を注入した後、送り込み弁を閉めるステップＳ２２６と、を含む。
【００８８】
本発明の一実施例において、内釜に送り込む前に、洗米槽における調理物は米と水との混合状態となるように、再び洗米槽内に第３の予め設定された量の水を注入し、流動性が良好で、送り込み過程の円滑性を実現すると同時に、調理物のみが送り込まれる場合に、流動性が悪く、大量の調理物が洗米槽本体に付着して、清浄し難く且つ変質し易いことを避けることができるため、ユーザーの飲食安全性を確保し、ユーザー体験を向上させる。
【００８９】
本発明の一実施例において、洗米槽内に供給する前に、ユーザーは、選択ボタンを使って調理しようとする調理物重量を選択することができ、直接入力の方式で調理しようとする調理物重量を入力することもでき、供給しようとする予め設定された重量の値を取得し、調理器具は同時に、米箱内の残りの調理物量を検出して、取得したユーザーが入力した調理しようとする調理物重量を残りの調理物量と比較して、残りの調理物量がユーザーの今回の調理を満たすかどうかを判定し、ユーザーの今回の調理ニーズが満たされていない場合に、貯米タンク内の調理物量が不十分であり、補充される必要があることをユーザーに報知し、さらに、ユーザーに報知する方式は、音、照明、音声などの少なくとも一つ又はそれらの組合せであり得るが、それらに限定されず、さらに、ユーザーが残りの調理物量を直観的に理解できるように、残りの調理物量を表示し、タイムリーに補充することができ、残りの調理物量が調理を満たすと、洗米槽内に供給し始め、ユーザー体験を向上させる。
【００９０】
本発明の一実施例において、洗米槽内に供給する前に、取得した調理情報、ユーザーが登録した調理情報に応じて、対応する予め設定された米と水との割合を選択することを更に含み、これによって、調理後の食物がユーザーの好みニーズを満たし、ユーザーの利用ニーズを向上させる。
【００９１】
本発明の一実施例において、取得した調理しようとする調理物重量の値と、ユーザー調理ニーズを満たす米と水との割合とに基づいて、調理に必要となる水の第２の予め設定された量を算出し、内釜への送り込みを完成した後、内釜に第２の予め設定された量の水を注入することによって、ユーザーニーズを満たす食物を調理することができ、ユーザーの利用満足度を向上させ、個性化調理を実現する。
【００９２】
本発明の一実施例において、調理情報は、少なくとも、米の量、米の種類、タイプ、食感の一つ又はそれらの組合せを含むが、それらに限定されるものではなく、具体的に、米の種類は、少なくとも、キビ、うるち米、インディカ米、香り米、もち米のいずれか一つを含み、タイプは、少なくとも、お粥、水っぽいお粥、ご飯のいずれか一つを含み、食感は、少なくとも、かため、普通、やわらかい、のいずれか一つを含み、ユーザーが入力した調理情報に基づいて、ユーザーニーズを満たす食物を調理するために必要となる注液量を算出し、ユーザーの利用満足度を向上させ、個性化調理を実現する。上記例挙した種類はそれらに限定されず、調理器具は、ユーザーの生活習慣に従って学習し記憶することができ、ユーザーの飲食習慣を満たす。ユーザー体験を向上させる。
【００９３】
本発明の一実施例において、調理物の洗浄効果を確保するために、最初の給液の前に、ユーザーが入力した洗浄回数を取得して、ユーザー予め設定された洗浄回数に応じて、調理物を洗浄することを更に含み、これによって、ユーザーニーズを満たして、調理物洗浄の清潔度を確保し、飲食衛生を確保することができ、さらに、洗浄回数は、異なるユーザーの清潔度に対するニーズに応じて、カスタマイズすることができ、いくつかのモードを事前に設定することもでき、ユーザーは、自分のニーズに従って登録することができ、操作は便利であり、利用体験を向上させる。
【００９４】
図３は本発明の他の実施例に係る調理器具の制御方法を示すフローチャートであり、図３に示すように、当該制御方法は、予め設定された重量の値を取得し、及び調理器具の貯米タンク内の残量を検出するステップＳ３０２と、残量が予め設定された重量の値より少ないか否かを判定するステップＳ３０４と、残量が予め設定された重量の値より少ない時に報知し、残量が予め設定された重量の値以上である時に、調理器具の洗米槽内に供給するステップＳ３０６と、調理情報を受信して、調理情報に応じて、対応する前記予め設定された米と水との割合を選択するステップＳ３０８と、予め設定された重量の値、及び予め設定された米と水との割合に基づいて、前記第２の予め設定された量を算出するステップＳ３１０と、供給指令を受信して、調理器具の洗米槽内に予め設定された重量の調理物を入れるステップＳ３１２と、第１の給液指令を受信して、洗米槽内に第１の予め設定された量の水を注入するステップＳ３１４と、洗浄指令を受信して、調理器具の調理物洗浄装置を駆動して調理物を洗浄するステップＳ３１６と、洗浄後の水の濁度を検出するステップＳ３１８と、前記濁度を予め設定された濁度と比較するステップＳ３２０と、前記濁度が前記予め設定された濁度より大きい時に、廃棄物排出指令を受信して、調理物の洗浄を停止させ、洗米槽内の水を排出するステップＳ３２２と、前記濁度が前記予め設定された濁度以下である時に、廃棄物排出指令を受信して、調理物の洗浄を停止させ、洗米槽内の水を排出し、洗米槽内に第３の予め設定された量の水を注入するステップＳ３２４と、送り込み指令を受信して、洗米槽の送り込み弁を開いて、洗米槽における調理物と水の混合物を調理器具の内釜に送り込むステップＳ３２６と、第２の給液指令を受信して、洗米槽内に第２の予め設定された量の水を注入した後、送り込み弁を閉めるステップＳ３３８。
【００９５】
上記いずれかの技術的手段において、廃棄物排出指令を受信して、調理物の洗浄を停止させ、洗米槽内の水を排出するステップの前に、洗浄後の水の濁度を検出することと、前記濁度を予め設定された濁度と比較することと、前記濁度が前記予め設定された濁度より大きい時に、廃棄物排出指令を受信して、調理物の洗浄を停止させ、洗米槽内の水を排出することと、前記濁度が前記予め設定された濁度以下である時に、廃棄物排出指令を受信して、調理物の洗浄を停止させ、洗米槽内の水を排出し、洗米槽内に第３の予め設定された量の水を注入することと、を更に含むことが好ましい。
【００９６】
当該技術的手段において、調理物清潔効果を確保する方式は、最初の調理物洗浄を完成した後、第２の検出ユニットは、水の濁度を検出して、第２の比較ユニットは、当該濁度を予め設定された濁度と比較し、予め設定された濁度は、調理物洗浄のニーズを満たす時の水濁度であり、比較した結果は、実際の濁度が、予め設定された濁度より大きい時に、廃棄物排出を完成した後、給液し続けるように洗浄に戻り、比較結果は、実際の濁度が予め設定された濁度より小さい時に、廃棄物排出を完成した後、内釜に送り込む操作を行い、これによって、調理物の洗浄が更に徹底的であることを確保し、ユーザーの利用満足度を向上させる。
【００９７】
図４は、本発明の一実施例に係る調理器具の制御システムを示すフレームワーク図であり、図４に示すように、当該制御システム１００は、供給指令を受信して、前記調理器具の洗米槽内に予め設定された重量の調理物を入れる供給ユニット１０２と、第１の給液指令を受信して、前記洗米槽内に第１の予め設定された量の水を注入する第１の給液ユニット１０４と、洗浄指令を受信して、前記調理器具の調理物洗浄装置を駆動して調理物を洗浄する洗浄ユニット１０６と、廃棄物排出指令を受信して、前記調理物の洗浄を停止させ、前記洗米槽内の水を排出する廃棄物排出ユニット１０８と、送り込み指令を受信して、洗米槽内に第３の予め設定された量の水を注入した後、前記洗米槽の送り込み弁を開いて、前記洗米槽における調理物と水の混合物を前記調理器具の内釜に送り込む送り込みユニット１１０と、第２の給液指令を受信して、前記洗米槽内に第２の予め設定された量の水を注入した後、第２の予め設定された量と第３の予め設定された量との合計は、調理に必要な水量と同じである第２の給液ユニット１１２と、を含む。
【００９８】
本発明提供の調理器具の制御システムは、まず、供給ユニット１０２によって、米箱から洗米槽に自動的に供給することを実現し、具体的に、供給方式は風パイプ搬送、スクリュー搬送、モーターベルト搬送などを採用することができ、ここでは自動供給を実現するための制限はなく、第２に、給液指令を受信した後、米箱内の調理物を洗浄するように、洗米槽内に予め設定された量の水を自動的に注入し、具体的に、水弁又は水ポンプによって外部の水源を制御することができ、パイプが容器本体の給水パイプに連結され、洗米槽に入り、水弁と水ポンプとをオンにすることを制御することで、給液と給液の停止とを制御して、給液の自動化を実現し、第３に、供給と給液を完成した後、調理物洗浄装置に洗浄指令を発信して、洗浄ユニット１０６は、調理物洗浄装置を制御して洗米槽における調理物を洗浄し始め、洗米の方式は、扇風機又はエアーポンプを風力源として、水を転がして洗米するように駆動することができ、攪拌装置を使って調理物と水を攪拌して洗米することもでき、洗米の自動化を実現し、第４に、調理物を予め設定された時間洗浄した後、廃棄物排出ユニット１０８に廃棄物排出指令を発信して、洗浄後の水を洗米槽から排出し、廃棄物排出の自動化を実現し、第５に、洗米を完成した後、送り込みユニットに洗米指令を発信し、洗米槽内に第３の予め設定された量の水を注入した後、洗米槽の送り込み弁を開いて、米を内釜に送り込んで、米送り込みの自動化を完成し、洗米槽における調理物は米と水との混合状態となるように、再び洗米槽内に第３の予め設定された量の水を注入し、流動性が良好で、送り込み過程の円滑性を実現すると同時に、調理物のみが送り込まれる場合に、流動性が悪く、大量の調理物が洗米槽本体に付着して、清浄し難く且つ変質し易いことを避けることができるため、ユーザー飲食の安全性を確保し、ユーザー体験を向上し、さらに、第２の給液ユニット１１２は、洗米槽内に調理に必要な予め設定された量の水を注入すると共に、洗米槽の容器本体に付着した残りの調理物に対して洗浄の作用がある。本発明で提供する調理装置の制御方法によって、調理物の自動洗浄及び自動送り込みの過程を実現し、調理装置の利用中の手動操作を減らして、調理装置の自動化度を向上すると共に、調理物の清潔度と食品の安全性を向上させる。
【００９９】
また、本発明で提供する上記技術的手段の調理装置の制御方法によれば、さらに以下のような付加的な技術的特徴を有する。
【０１００】
図５は、本発明の他の実施例に係る調理器具の制御システムを示すフレームワーク図であり、図５に示すように、当該制御システム２００は、供給指令を受信して、前記調理器具の洗米槽内に予め設定された重量の調理物を入れる供給ユニット２０２と、第１の給液指令を受信して、前記洗米槽内に第１の予め設定された量の水を注入する第１の給液ユニット２０４と、洗浄指令を受信して、前記調理器具の調理物洗浄装置を駆動して調理物を洗浄する洗浄ユニット２０６と、廃棄物排出指令を受信して、前記調理物の洗浄を停止させ、前記洗米槽内の水を排出する廃棄物排出ユニット２０８と、送り込み指令を受信して、前記洗米槽の送り込み弁を開いて、前記洗米槽における調理物と水の混合物を前記調理器具の内釜に送り込む送り込みユニット２１０と、第２の給液指令を受信して、前記洗米槽内に第２の予め設定された量の水を注入した後、送り込み弁を閉める第２の給液ユニット２１２と、を含み、当該制御システムは、送り込み指令を受信する前に、洗米槽内に第３の予め設定された量の水を注入する第３の給液ユニット２１４と、前記予め設定された重量の値を取得する第１の取得ユニット２１６と、調理器具の貯米タンク内の残量を検出する第１の検出ユニット２１８と、残量を予め設定された重量の値と比較する第１の比較ユニット２２０と、残量が予め設定された重量の値より小さい時に報知する報知ユニット２２２と、残量が前記予め設定された重量の値以上である時に、調理器具の洗米槽内に供給する供給ユニット２２４と、調理情報を受信して、調理情報に応じて、対応する予め設定された米と水との割合を選択する受信ユニット２２６と、予め設定された重量の値、及び予め設定された米と水との割合に基づいて、第２の予め設定された量を算出する算出ユニット２２８と、洗浄指令を受信する前に、洗浄回数を取得して、洗浄回数に応じて洗浄を繰り返す洗浄ユニット２３０、を更に含む。
【０１０１】
本発明の一実施例において、内釜に送り込む前に、第３の給液ユニットは、洗米槽における調理物は米と水との混合状態となるように、洗米槽内に第３の予め設定された量の水を注入し、流動性が良好で、送り込み過程の円滑性を実現すると同時に、調理物のみが送り込まれる場合に、流動性が悪く、大量の調理物が洗米槽本体に付着して、清浄し難く且つ変質し易いことを避けることができるため、ユーザーの飲食安全性を確保し、ユーザー体験を向上させる。
【０１０２】
本発明の一実施例において、洗米槽内に供給する前に、第１の取得ユニットは供給しようとする予め設定された重量の値を取得し、ユーザーは、選択ボタンを使って調理しようとする調理物重量を選択することができ、直接入力の方式で調理しようとする調理物重量を入力することもでき、第１の検出ユニットは、同時に米箱内の残りの調理物量を検出して、第１の比較ユニットは、取得したユーザー入力した調理しようとする調理物重量を残りの調理物量と比較して、残りの調理物量がユーザーの今回の調理を満たすかどうかを判定し、ユーザーの今回の調理ニーズが満たされていない場合に、報知ユニットは、貯米タンク内の調理物量が不十分であり、補充される必要があることをユーザーに報知し、さらに、ユーザーに報知する方式は、音、照明、音声などの少なくとも一つ又はそれらの組合せであり得るが、それらに限定されず、さらに、ユーザーが残りの調理物量を直観的に理解できるように、残りの調理物量を表示し、タイムリーに補充することができ、残りの調理物量が調理を満たすと、洗米槽内に供給し始め、ユーザー体験を向上させる。
【０１０３】
本発明の一実施例において、洗米槽内に供給する前に、受信ユニットによって調理情報を取得し、ユーザーが登録した調理情報に応じて、対応する予め設定された米と水との割合を選択することを更に含み、これによって、調理後の食物がユーザーの好みニーズを満たし、ユーザーの利用ニーズを向上させる。
【０１０４】
本発明の一実施例において、算出ユニットは、取得した調理しようとする調理物重量の値とユーザー調理ニーズを満たす米と水との割合とに基づいて、調理に必要となる水の第２の予め設定された量を算出し、内釜への送り込みを完成した後、内釜に第２の予め設定された量の水を注入することによって、ユーザーニーズを満たす食物を調理することができ、ユーザーの利用満足度を向上させ、個性化調理を実現する。
【０１０５】
本発明の一実施例において、調理情報は、少なくとも、米の量、米の種類、タイプ、食感のいずれか一つ又はそれらの組合せを含むが、それらに限定されるものではなく、具体的に、米の種類は、少なくとも、キビ、うるち米、インディカ米、香り米、もち米のいずれか一つを含み、タイプは、少なくとも、お粥、水っぽいお粥、ご飯のいずれか一つを含み、食感は、少なくとも、かため、普通、やわらかい、のいずれか一つを含み、ユーザーが入力した調理情報に基づいて、ユーザーニーズを満たす食物を調理するために必要となる注液量を算出し、ユーザーの利用満足度を向上させ、個性化調理を実現する。上記例挙した種類はそれらに限定されず、調理器具は、ユーザーの生活習慣に従って学習し記憶することができ、ユーザーの飲食習慣を満たす。ユーザー体験を向上させる。
【０１０６】
本発明の一実施例において、調理物の洗浄効果を確保するために、最初の給液の前に、洗浄ユニットは、ユーザーが入力した洗浄回数を取得して、ユーザー予め設定された洗浄回数に応じて、調理物を洗浄することを更に含み、これによって、ユーザーニーズを満たして、調理物洗浄の清潔度を確保し、飲食衛生を確保することができ、さらに、洗浄回数は、異なるユーザーの清潔度に対するニーズに応じて、カスタマイズすることができ、いくつかのモードを事前に設定することもでき、ユーザーは、自分のニーズに従って登録することができ、操作は便利であり、利用体験を向上させる。
【０１０７】
図６は、本発明の他の実施例に係る調理器具の制御システムを示すフレームワーク図であり、図６に示すように、当該制御システム３００は、供給指令を受信して、前記調理器具の洗米槽内に予め設定された重量の調理物を入れる供給ユニット３０２と、第１の給液指令を受信して、前記洗米槽内に第１の予め設定された量の水を注入する第１の給液ユニット３０４と、洗浄指令を受信して、前記調理器具の調理物洗浄装置を駆動して調理物を洗浄する洗浄ユニット３０６と、廃棄物排出指令を受信して、前記調理物の洗浄を停止させ、前記洗米槽内の水を排出する廃棄物排出ユニット３０８と、送り込み指令を受信して、前記洗米槽の送り込み弁を開いて、前記洗米槽における調理物と水の混合物を前記調理器具の内釜に送り込む送り込みユニット３１０と、第２の給液指令を受信して、前記洗米槽内に第２の予め設定された量の水を注入した後、送り込み弁を閉める第２の給液ユニット３１２と、を含み、当該制御システムは、送り込み指令を受信する前に、洗米槽内に第３の予め設定された量の水を注入する第３の給液ユニット３１４と、前記予め設定された重量の値を取得する第１の取得ユニット３１６と、調理器具の貯米タンク内の残量を検出する第１の検出ユニット３１８と、残量を予め設定された重量の値と比較する第１の比較ユニット３２０と、残量が予め設定された重量の値より小さい時に報知する報知ユニット３２２と、残量が前記予め設定された重量の値以上である時に、調理器具の洗米槽内に供給する供給ユニット３２４と、調理情報を受信して、調理情報に応じて、対応する予め設定された米と水との割合を選択する受信ユニット３２６と、予め設定された重量の値、及び予め設定された米と水との割合に基づいて、第２の予め設定された量を算出する算出ユニット３２８と、前記廃棄物排出指令を受信する前に、洗浄後の水の濁度を検出する第２の検出ユニット３３０と、前記濁度を予め設定された濁度と比較する第２の比較ユニット３３２と、前記濁度が前記予め設定された濁度より大きい時に、廃棄物排出を完成した後、第１の給液ユニット３０４に戻る戻りユニット３３４と、前記濁度が前記予め設定された濁度以下である時に、廃棄物排出を完成した後、送り込みユニット３１０に入る実行ユニット３３６と、を更に含む。
【０１０８】
本発明の一実施例において、調理物の洗浄効果を確保するために、最初の給液の前に、洗浄ユニットは、ユーザーが入力した洗浄回数を取得して、ユーザー予め設定された洗浄回数に応じて、調理物を洗浄することを更に含み、これによって、ユーザーニーズを満たして、調理物洗浄の清潔度を確保し、飲食衛生を確保することができ、さらに、洗浄回数は、異なるユーザーの清潔度に対するニーズに応じて、カスタマイズすることができ、いくつかのモードを事前に設定することもでき、ユーザーは、自分のニーズに従って登録することができ、操作は便利であり、利用体験を向上させる。
【０１０９】
図７は、本発明一実施例に係る調理器具を示すフレームワーク図であり、図７に示すように、本発明のもう一つの目的によれば、上記いずれか一つの技術的手段に記載の制御システム４０を含む調理器具４００を提供する。
【０１１０】
本発明で提供する調理器具は、上記いずれか一つの技術的手段に記載の制御システムを含むため、当該システムのすべての有益な効果を有し、ここで詳細な説明を省略する。
【０１１１】
図８〜図１３は、本発明のいくつの実施例に係る米送り込み制御方法を示す概略フローチャートである。
【０１１２】
図８に示すように、本発明の一実施例で提供する米送り込み制御方法５００は、調理器具に入力された米量、及び予め設定された米と水との割合に基づいて、入力すべき水量を算出するステップＳ５１６と、第１の給水指令を受信して、調理器具の洗浄室内に入力すべき水量より多くの給水量の水を搬送した後、給水システムを閉めるステップＳ５１８と、第１の予め設定された時間が経過した後、排水を行うと共に、洗浄室内の水の残量をリアルタイムに検出し、水の残量が入力すべき水量と等しい時に、排水システムを閉めるステップＳ５２０と、搬出指令を受信して、第２の予め設定された時間が経過した後、調理装置の搬出口を閉じるステップＳ５２２と、を含む。
【０１１３】
本発明で提供する米送り込み制御方法によれば、洗浄室内に米と水との割合に必要となる水量を超えるように加えることによって、洗浄室内壁に付着した米を全部底に沈ませ、それから、米と水との割合を超えた水を排出し、底に沈んだ米を全部調理器具の内釜に入れ、米の排出が清潔で徹底的であり、洗浄室内壁に付着した米が排出できない問題を有効に解決した。本願において、質量検出方式によって、調理器具に入力された米量を検出することができ、計時方式によって、米入れシステムの開始時間を制御して、入力された米量を制御することもでき、対応的に、質量検出方式によって、洗浄室内の米と水との総重量を検出してから、入力された米量を減らすことで洗浄室内の水量が得られ、水量が入力すべき水量まで減った時に、排水システムを閉めることができ、計時方式によって、給水システムの開始時間を検出して給水量を制御し、同時に、計時方式によって、排水システムの開始時間を検出して排出水量を制御して、米と水との割合を満たした入力すべき水量を保留することもでき、単位時間当たりの米入れ、給水及び排水の量は既知であることが好ましい。本発明において、洗浄後の水と米との混合物や、無洗米と適量な水にもかかわらず、洗浄室内に米と水との割合を超える量の水を加えることで、洗浄室内壁に付着した米を全部底に沈ませ、同時に、排水システムによって洗浄室内の水の量を補正し、米送り込みは清潔で徹底的であり、米と水との割合は破壊されず、ユーザー体験の効果が良い。
【０１１４】
図９に示すように、本発明の一実施例において、上記ステップＳ５１６の前に、米入れ指令を受信し、入力された洗浄回数Ｍを受信して、洗浄室内に入力された米量の米を搬送した後、調理器具の米入れシステムを閉めるステップＳ５０６と、洗浄した回数Ｘが、入力された洗浄回数Ｍより少ないか否かを判定し、洗浄した回数Ｘが、入力された洗浄回数Ｍより少なければ、ステップＳ５１０を行い、洗浄した回数Ｘが、入力された洗浄回数Ｍより少なくなければ、ステップＳ５１６を行い、Ｘの初期値は０であるステップＳ５０８と、第２の給水指令を受信して、洗浄室内に第２の予め設定された水量の水を搬送した後、給水システムを閉めるステップＳ５１０と、洗浄指令を受信して、洗米を行い、第３の予め設定された時間が経過した後、洗浄システムを閉めるステップＳ５１２と、廃棄物排出指令を受信して、廃棄物排出を行い、第４の予め設定された時間が経過した後、排水システムを閉め、洗浄した回数を一回増やすステップＳ５１４、を更に含む。
【０１１５】
当該実施例において、先に米を洗浄して廃棄物を排出することができ、ユーザーは、米の清潔度に応じて、必要とされる洗浄回数を入力し、同じバッチの米に対して複数の洗浄を行い、清潔効果が良い。
【０１１６】
図１０に示すように、本発明の一実施例において、上記ステップＳ５０６の前に、調理情報を受信するステップＳ５０２と、調理情報に応じて、対応する予め設定された米と水との割合を選択するステップＳ５０４と、を更に含む。
【０１１７】
当該実施例において、調理情報を設定し、異なる予め設定された米と水との割合に対応することによって、異なる調理状況に適応することができ、製品の適用範囲を広げる。調理情報は、少なくとも、米の量、米の種類、タイプ、食感のいずれか一つ又はそれらの組合せを含むことが好ましい。調理情報が米の量、米の種類、タイプ、及び食感に細かく分類され、米の種類の異なりによって、吸水能力も異なり、必要となる水量も異なり、調理タイプ及びユーザー好みの食感も、必要とされる水量に影響を及ぼし、それらの調理情報を設定することによって、予め設定された米と水との割合が異なるニーズを満たすことができる。米の種類少なくとも、キビ、うるち米、インディカ米、香り米、もち米のいずれか一つを含み、タイプは、少なくとも、お粥、水っぽいお粥、ご飯のいずれか一つを含み、食感は、少なくとも、かため、普通、やわらかい、のいずれか一つを含むことが好ましい。調理情報が更に細かく分かれて、米の種類は、日常調理用の米の種類を含み、タイプが水の必要量に応じて、水っぽいお粥、お粥、及びご飯に分類され、食感に対し、異なる好みとニーズに適応するために、水の必要量が少ないものから多いものまで、かため、普通、及びやわらかいに分かれて、予め設定された米と水との割合がユーザーの個性化ニーズを満たすことを確保し、適用範囲が広がって、ユーザー体験を向上させる。
【０１１８】
図１１に示すように、本発明の一実施例において、上記ステップＳ５１８の過程において、具体的に、入力すべき水量Ｖに基づいて、給水量Ｐを算出し、Ｐ＝１．５ＶであるステップＳ５１８２と、給水量Ｐは洗浄室の定格水量Ｈ以上であるか否かを判定するステップＳ５１８４と、給水量Ｐは洗浄室の定格水量Ｈ以上であれば、洗浄室内に定格水量Ｈの水を搬送するステップＳ５１８６と、給水量Ｐは洗浄室の定格水量Ｈ以上でなければ、給水量Ｐに応じて、洗浄室内に水を搬送するステップＳ５１８８と、洗浄室内の水量をリアルタイムに検出するステップＳ５１９０と、洗浄室内の水量が入力すべき水量Ｖに達した時に、給水システムを閉めるステップＳ５１９２と、を含む。
【０１１９】
当該実施例において、算出された入力すべき水量Ｖに基づいて、調理器具内に搬送するのに必要となる給水量Ｐをさらに算出し、例えば、入力すべき水量Ｖの１．５倍は給水量Ｐであり、給水量Ｐと洗浄室定格水量Ｈの大きさを比較し、給水量Ｐが定格水量Ｈ以上である時に、洗浄室内に定格水量Ｈの水を加えることで、洗浄室内壁に付着した米を全部底に沈ませ、給水量Ｐが定格水量Ｈより少ない時に、洗浄室内に算出された給水量Ｐの水を加えるだけで、洗浄室内壁に付着した米を全部底に沈ませることを満足でき、節水であり、洗浄室内壁に付着した米が排出し難い問題を有効に解決することができる。
【０１２０】
図１２に示すように、本発明の一実施例において、上記ステップＳ５２２の後に、給水システムを開いて、洗浄室の内壁に第１の予め設定された水量の水をスプレーした後、給水システムを閉めるステップＳ５２４を更に含む。
【０１２１】
当該実施例において、米を送り込んだ後、米は洗浄室底壁に少し残り、洗浄室内に水を再びスプレーすることによって、洗浄室底壁に残っている米が調理器具の内釜に洗い流され、同時に、スプレー水量を制御し、再びスプレーした水が米と水との割合を破壊することを防止する。本願において、計時方式によって、給水システムの開始時間を制限し、さらにスプレー水量を制御することができ、洗浄室内の水量を検出することによって、スプレー水量の検出及び制御を実現することが好ましい。
【０１２２】
図１３に示すように、本発明の一実施例は米送り込み制御方法６００を提供し、調理情報を受信するステップＳ６０２と、調理情報に応じて、対応する予め設定された米と水との割合を選択するステップＳ６０４と、米入れ指令を受信し、入力された洗浄回数を受信して、洗浄室内に入力された米量の米を搬送した後、調理器具の米入れシステムを閉めるステップＳ６０６と、洗浄した回数Ｘが、入力された洗浄回数Ｍより少ないか否かを判定し、洗浄した回数Ｘが、入力された洗浄回数Ｍより少なければ、ステップＳ６１０を行い、洗浄した回数Ｘが、入力された洗浄回数Ｍより少なくなければ、ステップＳ６１６を行い、Ｘの初期値は０であるステップＳ６０８と、第２の給水指令を受信して、洗浄室内に第２の予め設定された水量の水を搬送した後、給水システムを閉めるステップＳ６１０と、洗浄指令を受信して、洗米を行い、第３の予め設定された時間が経過した後、洗浄システムを閉めるステップＳ６１２と、廃棄物排出指令を受信して、廃棄物排出を行い、第４の予め設定された時間が経過した後、排水システムを閉め、洗浄した回数を一回増やすステップＳ６１４と、調理器具に入力された米量、及び予め設定された米と水との割合に基づいて、入力すべき水量を算出するステップＳ６１６と、第１の給水指令を受信して、調理器具の洗浄室内に、入力すべき水量より多くの給水量の水を搬送した後、給水システムを閉めるステップＳ６１８と、第１の予め設定された時間が経過した後、排水を行うと共に、洗浄室内の水の残量をリアルタイムに検出し、水の残量が入力すべき水量と等しい時に、排水システムを閉めるステップＳ６２０と、搬出指令を受信して、第２の予め設定された時間が経過した後、調理装置の搬出口を閉じるステップＳ６２２と、給水システムを開いて、洗浄室の内壁に第１の予め設定された水量の水をスプレーした後、給水システムを閉めるステップＳ６２４と、を含む。
【０１２３】
当該実施例において、上記いずれか一つの実施例のすべての有益な効果を有する。
【０１２４】
図１４〜図１８は、本発明のいくつの実施例に係る米送り込み制御システムを示す概略ブロック図である。
【０１２５】
図１４に示すように、本発明の第２の方面の実施例は、調理器具に用いられる米送り込み制御システム７００を提供し、前記調理器具に入力された米量、及び予め設定された米と水との割合に基づいて、入力すべき水量を算出する第１の算出ユニット７０２と、第１の給水指令を受信して、前記調理器具の洗浄室内に、前記入力すべき水量より多くの給水量の水を搬送した後、前記給水システムを閉める第１の制御ユニット７０４と、第１の予め設定された時間が経過した後、排水を行うと共に、前記洗浄室内の水の残量をリアルタイムに検出し、前記水の残量が前記入力すべき水量と等しい時に、前記排水システムを閉める第２の制御ユニット７０６と、搬出指令を受信して、第２の予め設定された時間が経過した後、前記調理装置の搬出口を閉じる第３の制御ユニット７０８と、を含む。
【０１２６】
本発明で提供する米送り込み制御システムによれば、第１の制御ユニットによって、洗浄室内に米と水との割合に必要となる水量を超えるように加えることによって、洗浄室内壁に付着した米を全部底に沈ませて、更に第２の制御ユニットによって、米と水との割合を超えた水を排出し、底に沈んだ米を全部調理器具の内釜に入れ、米の排出が清潔で徹底的であり、洗浄室内壁に付着した米が排出できない問題を有効に解決できる。本願において、質量検出方式によって、調理器具に入力された米量を検出することができ、計時方式によって、米入れシステムの開始時間を制御して、入力された米量を制御することもでき、対応的に、質量検出方式によって、洗浄室内の米と水との総重量を検出してから、入力された米量を減らすことで洗浄室内の水量が得られ、水量が入力すべき水量までに減った時に、排水システムを閉めることもでき、計時方式によって、給水システムの開始時間を検出して給水量を制御するとともに、計時方式によって、排水システムの開始時間を検出して排出水量を制御して、米と水との割合を満たした入力すべき水量を保留することもでき、単位時間当たりの米入れ、給水及び排水の量は既知であることが好ましい。本発明において、洗浄後の水と米との混合物や、無洗米と適量な水にもかかわらず、洗浄室内に米と水との割合を超える量の水を加えることで、洗浄室内壁に付着した米を全部底に沈ませ、同時に、排水システムによって洗浄室内の水の量を補正し、米送り込みは清潔で徹底的であり、米と水との割合は破壊されず、ユーザー体験の効果が良い。
【０１２７】
図１５に示すように、本発明の一実施例によれば、米送り込み制御システム８００を提供し、米入れ指令を受信し、入力された洗浄回数を受信して、洗浄室内に入力された米量の米を搬送した後、調理器具の米入れシステムを閉める第４の制御ユニット８１２と、洗浄した回数が前記入力された洗浄回数より少ないか否かを判定し、洗浄した回数が前記入力された洗浄回数より少なければ、第５の制御ユニットを起動し、洗浄した回数が前記入力された洗浄回数より少なくなければ、前記第１の算出ユニットを起動する第１の判定ユニット８０２と、第２の給水指令を受信して、洗浄室内に第２の予め設定された水量の水を搬送した後、給水システムを閉める第５の制御ユニット８１４と、洗浄指令を受信して、洗米を行い、第３の予め設定された時間が経過した後、洗浄システムを閉める第６の制御ユニット８１６と、廃棄物排出指令を受信して、廃棄物排出を行い、第４の予め設定された時間が経過した後、排水システムを閉め、洗浄した回数を一回増やす第７の制御ユニット８１８と、調理器具に入力された米量、及び予め設定された米と水との割合に基づいて、入力すべき水量を算出する第１の算出ユニット８０４と、第１の給水指令を受信して、調理器具の洗浄室内に、入力すべき水量より多くの給水量の水を搬送した後、給水システムを閉める第１の制御ユニット８０６と、第１の予め設定された時間が経過した後、排水を行うと共に、洗浄室内の水の残量をリアルタイムに検出し、水の残量が入力すべき水量と等しい時に、排水システムを閉める第２の制御ユニット８０８と、搬出指令を受信して、第２の予め設定された時間が経過した後、調理装置の搬出口を閉じる第３の制御ユニット８１０と、を含む。
【０１２８】
当該実施例において、先に米を洗浄して廃棄物を排出することができ、ユーザーは、米の清潔度に応じて、必要とされる洗浄回数を入力し、同じバッチの米に対して複数の洗浄を行い、清潔効果が良い。
【０１２９】
図１６に示すように、本発明の一実施例によれば、米送り込み制御システム９００を提供し、調理情報を受信する第１の受信ユニット９０２と、調理情報に応じて、対応する予め設定された米と水との割合を選択する第１の選択ユニット９０４と、米入れ指令を受信し、入力された洗浄回数を受信して、洗浄室内に入力された米量の米を搬送した後、調理器具の米入れシステムを閉める第４の制御ユニット９１６と、洗浄した回数が、前記入力された洗浄回数より少ないか否かを判定し、洗浄した回数が、前記入力された洗浄回数より少なければ、第５の制御ユニットを起動し、洗浄した回数が、前記入力された洗浄回数より少なくなければ、前記第１の算出ユニットを起動する第１の判定ユニット９０６と、第２の給水指令を受信して、洗浄室内に第２の予め設定された水量の水を搬送した後、給水システムを閉める第５の制御ユニット９１８と、洗浄指令を受信して、洗米を行い、第３の予め設定された時間が経過した後、洗浄システムを閉める第６の制御ユニット９２０と、廃棄物排出指令を受信して、廃棄物排出を行い、第４の予め設定された時間が経過した後、排水システムを閉め、洗浄した回数を一回増やす第７の制御ユニット９２２と、調理器具に入力された米量、及び予め設定された米と水との割合に基づいて、入力すべき水量を算出する第１の算出ユニット９０８と、第１の給水指令を受信して、調理器具の洗浄室内に、入力すべき水量より多くの給水量の水を搬送した後、給水システムを閉める第１の制御ユニット９１０と、第１の予め設定された時間が経過した後、排水を行うと共に、洗浄室内の水の残量をリアルタイムに検出し、水の残量が入力すべき水量と等しい時に、排水システムを閉める第２の制御ユニット９１２と、搬出指令を受信して、第２の予め設定された時間が経過した後、調理装置の搬出口を閉じる第３の制御ユニット９１４と、を含む。
【０１３０】
当該実施例において、第１の受信ユニットによって、ユーザーが設定した調理情報を受信し、第１の選択ユニットによって、調理情報に応じて、適切な米と水との割合を選択することで、異なる調理状況に適応することができ、製品の適用範囲を広げる。調理情報は、少なくとも、米の量、米の種類、タイプ、食感のいずれか一つ又はそれらの組合せを含むことが好ましい。調理情報が米の量、米の種類、タイプ、及び食感に細かく分類され、米の種類の異なりによって、吸水能力も異なり、必要となる水量も異なり、調理タイプ及びユーザー好みの食感も、必要とされる水量に影響を及ぼし、それらの調理情報を設定することによって、予め設定された米と水との割合が異なるニーズを満たすことができる。米の種類は少なくとも、キビ、うるち米、インディカ米、香り米、もち米のいずれか一つを含み、タイプは、少なくとも、お粥、水っぽいお粥、ご飯のいずれか一つを含み、食感は、少なくとも、かため、普通、やわらかい、のいずれか一つを含むことが好ましい。調理情報が更に細かく分かれて、米の種類は、日常調理用の米の種類を含み、水の必要量に応じて、タイプは水っぽいお粥、お粥、及びご飯に分類され、食感に対し、異なる好みとニーズに適応するために、水の必要量が少ないものから多いものまで、かため、普通、及びやわらかいに分かれて、予め設定された米と水との割合がユーザーの個性化ニーズを満たすことを確保し、適用範囲が広がって、ユーザー体験を向上させる。
【０１３１】
図１７に示すように、本発明の一実施例によれば、米送り込み制御システム１０００を提供し、調理器具に入力された米量、及び予め設定された米と水との割合に基づいて、入力すべき水量を算出する第１の算出ユニット１００２と、第１の給水指令を受信して、調理器具の洗浄室内に、入力すべき水量より多くの給水量の水を搬送した後、給水システムを閉め、入力すべき水量に基づいて給水量を算出する第２の算出ユニット１００４２と、給水量が洗浄室の定格水量以上であるか否かを判定する第２の判定ユニット１００４４と、給水量が洗浄室の定格水量以上であれば、洗浄室内に定格水量の水を搬送する第１の実行ユニット１００４６と、給水量が洗浄室の定格水量以上でなければ、給水量に応じて、洗浄室内に水を搬送する第２の実行ユニット１００４８と、洗浄室内の水量をリアルタイムに検出する第１の検出ユニット１００５２と、洗浄室内の水量が給水量に達した時に、給水システムを閉める第３の実行ユニット１００５０と、を含む第１の制御ユニット１００４と、第１の予め設定された時間が経過した後、排水を行うと共に、洗浄室内の水の残量をリアルタイムに検出し、水の残量が入力すべき水量と等しい時に、排水システムを閉める第２の制御ユニット１００６と、搬出指令を受信して、第２の予め設定された時間が経過した後、調理装置の搬出口を閉じる第３の制御ユニット１００８と、を含む。
【０１３２】
当該実施例において、第２の算出ユニットによって、算出された入力すべき水量に基づいて、調理器具内に搬送するのに必要となる給水量を更に算出し、例えば、入力すべき水量の１．５倍は給水量であり、第１の判定ユニットによって、給水量と洗浄室定格水量の大きさを比較し、給水量は定格水量以上である時に、第１の実行ユニットによって、洗浄室内に定格水量の水を加えることで、洗浄室内壁に付着した米を全部底に沈ませ、給水量が定格水量より少ない時に、第２の実行ユニットによって、洗浄室内に算出された給水量の水を加えるだけで、洗浄室内壁に付着した米を全部底に沈ませることを満足でき、節水であり、洗浄室内壁に付着した米が排出し難い問題を有効に解決することができる。
【０１３３】
図１８に示すように、本発明の一実施例によれば、米送り込み制御システム１１００を提供し、調理器具に入力された米量、及び予め設定された米と水との割合に基づいて、入力すべき水量を算出する第１の算出ユニット１１０２と、第１の給水指令を受信して、調理器具の洗浄室内に、入力すべき水量より多くの給水量の水を搬送した後、給水システムを閉める第１の制御ユニット１１０４と、第１の予め設定された時間が経過した後、排水を行うと共に、洗浄室内の水の残量をリアルタイムに検出し、水の残量が入力すべき水量と等しい時に、排水システムを閉める第２の制御ユニット１１０６と、搬出指令を受信して、第２の予め設定された時間が経過した後、調理装置の搬出口を閉じる第３の制御ユニット１１０８と、給水システムを開いて、洗浄室の内壁に第１の予め設定された水量の水をスプレーした後、給水システムを閉める第８の制御ユニット１１１０と、を含む。
【０１３４】
当該実施例において、米を送り込んだ後、米は洗浄室底壁に少し残り、第８の制御ユニットによって、洗浄室内に水を再びスプレーすることで、洗浄室底壁に残っている米が調理器具の内釜に洗い流され、同時に、スプレー水量を制御し、再びスプレーした水が米と水との割合を破壊することを防止する。本願において、計時方式によって、給水システムの開始時間を制限し、さらにスプレー水量を制御することができ、洗浄室内の水量を検出することによって、スプレー水量の検出及び制御を実現することが好ましい。
【０１３５】
本発明の一実施例で提供する調理器具によれば、釜体と上蓋を含む調理器具は、上蓋に設けられ、底壁に送り込み穴が設けられ、側壁に廃棄物排出穴が設けられる洗浄室と、廃棄物排出穴と連通する排水システムと、洗浄室と連通する給水システムと、送り込み穴を開閉するように設けられる送り込みシステムと、前記調理器具の外壁に設けられ、情報を入力するコントロールパネルと、上記いずれか一つの技術的手段に記載の米送り込み制御システムと、を含む。
【０１３６】
本発明で提供する調理器具は、上記いずれか一つの技術的手段に記載の米送り込み制御システムを採用し、全ての有益な効果を有し、排水システム、給水システム、送り込みシステム、及び操作パネルを有し、米と水との割合によって必要となる給水量を有効に求め、異なる調理ニーズに応じて、自動定量供水を実現して、正確に給水することができ、ユーザー体験を向上し、知能化を向上させる。
【０１３７】
本発明の一実施例において、洗浄装置及び米入れ装置を更に含むことが好ましい。
【０１３８】
当該実施例において、調理器具は、洗浄機能と米入れ機能を更に含み、米を調理器具の洗浄室にいれた後、洗浄と廃棄物排出を先に行い、それから、入力された米量、及び予め設定された米と水との割合に基づいて入力すべき水量を算出し、洗浄室に入力すべき水量を超える量の水を加えて、洗浄流動によって、洗浄室内壁に付着した米を全部底に沈ませて、送り込むことを行い、米の排出が清潔で徹底的である。無洗米であれば、直接に洗浄室内に入力された米量を超える量の水を加えることができ、洗米ステップを除く。
【０１３９】
本発明の一実施例において、洗浄室における米の量と米水総重量を検出する質量検出器、及び／又は、計時すると共に、給水システムを制御し、排水システムを開閉するタイマーを更に含むことが好ましい。
【０１４０】
当該実施例において、好ましくは、質量検出器は、まず洗浄室に入れた、入力された米量を検出し、それから、洗浄室内の水と米の質量を検出して、引き算して洗浄室内の水量を求め、及び、入力された米量と算出された給水量に基づいて、米と水との割合に適応する水と米の質量を算出し、即ち、質量検出器は、質量の変化によって、洗浄室内の水と米の質量は、いつ米と水との割合に適応する質量に達するかを判定し、タイマー、給水システムに対して計時制御を行い、入力したい米量が得られてから、排水システムを制御して、給水システムを制御して洗浄室に給水量を加え、それから、排水システムを制御して、給水量を超えた水を排出し、単位時間当たり給水と排水の量は既知であり、洗浄室内水の変化を検出することを満たし、本願によって達成する有益な効果を実現する。
【０１４１】
本明細書の説明において、「第１」、「第２」、「第３」の用語は目的を説明するだけに用いられ、重要性を表す又は暗示することではないことを理解されるべきであり、用語である「複数の」は、二つ又は二つ以上である。限定又は説明がない限り、「取付け」、「連続」、「固定」などの用語の意味は広く理解されるべきであり、例えば、「連続」は固定連続であっても、取り外し可能な連続であっても、又は一体的に連続であってもよく、直接的に接続することや、中間媒体を介して間接的に接続することも可能である。当業者にとって、具体的な状況に応じて上記用語の本発明中の具体的な意味を利用することができる。
【０１４２】
本明細書の説明において、「上」、「下」、「前」、「後」、「左」、「右」などの用語で示す方位又は位置関係は図面に示す方位又は位置関係であり、本発明を説明し易い、又は説明を簡単にするだけに用いられ、示している装置またはセットは必ず特定の方向を有し、特定の方位構造と操作を有することを表す又は暗示することではないことを理解されるべきであり、そのため、本発明に対する限定とみなされるべきではない。
【０１４３】
本明細書の説明において、用語である「一実施例」、「いくつかの実施例」、「具体的な例示」などの記述は、当該実施例又は例示に説明された具体的な特徴、構造、材料が本発明の少なくとも一実施例又は例示に含まれていることを示している。本明細書において、上記用語の説明は、必ず同一の実施例又は例示を示しているではない。また、説明した具体的な特徴、構造、材料は、任意の一つ又は複数の実施例又は例示中において適当な方式で結合できる。
【０１４４】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。
【符号の説明】
【０１４５】
４０  制御システム
１００  制御システム
１０２  供給ユニット
１０４  第１の給液ユニット
１０６  洗浄ユニット
１０８  廃棄物排出ユニット
１１２  第２の給液ユニット
２００  制御システム
２０２  供給ユニット
２０４  第１の給液ユニット
２０６  洗浄ユニット
２０８  廃棄物排出ユニット
２１２  第２の給液ユニット
２１４  第３の給液ユニット
２１６  第１の取得ユニット
２１８  第１の検出ユニット
２２０  第１の比較ユニット
２２２  報知ユニット
２２４  供給ユニット
２２６  受信ユニット
２２８  算出ユニット
２３０  洗浄ユニット
３００  制御システム
３０２  供給ユニット
３０４  第１の給液ユニット
３０６  洗浄ユニット
３０８  廃棄物排出ユニット
３１２  第２の給液ユニット
３１４  第３の給液ユニット
３１６  第１の取得ユニット
３１８  第１の検出ユニット
３２０  第１の比較ユニット
３２２  報知ユニット
３２４  供給ユニット
３２６  受信ユニット
３２８  算出ユニット
３３０  第２の検出ユニット
３３２  第２の比較ユニット
３３６  実行ユニット
４００  調理器具
７００  制御システム
７０２  第１の算出ユニット
７０４  第１の制御ユニット
７０６  第２の制御ユニット
７０８  第３の制御ユニット
８００  制御システム
８０２  第１の判定ユニット
８０４  第１の算出ユニット
８０６  第１の制御ユニット
８０８  第２の制御ユニット
８１０  第３の制御ユニット
８１２  第４の制御ユニット
８１４  第５の制御ユニット
８１６  第６の制御ユニット
８１８  第７の制御ユニット
９００  制御システム
９０２  第１の受信ユニット
９０４  第１の選択ユニット
９０６  第１の判定ユニット
９０８  第１の算出ユニット
９１０  第１の制御ユニット
９１２  第２の制御ユニット
９１４  第３の制御ユニット
９１６  第４の制御ユニット
９１８  第５の制御ユニット
９２０  第６の制御ユニット
９２２  第７の制御ユニット
１０００  制御システム
１００２  第１の算出ユニット
１００４  第１の制御ユニット
１００６  第２の制御ユニット
１００８  第３の制御ユニット
１１００  制御システム
１１０２  第１の算出ユニット
１１０４  第１の制御ユニット
１１０６  第２の制御ユニット
１１０８  第３の制御ユニット
１１１０  第８の制御ユニット
１００４２  第２の算出ユニット
１００４４  第２の判定ユニット
１００４６  第１の実行ユニット
１００４８  第２の実行ユニット
１００５０  第３の実行ユニット
１００５２  第１の検出ユニット
【図１】
2020513281.tif 000003
【図２】
2020513281.tif 000004
【図３】
2020513281.tif 000005
【図４】
2020513281.tif 000006
【図５】
2020513281.tif 000007
【図６】
2020513281.tif 000008
【図７】
2020513281.tif 000009
【図８】
2020513281.tif 000010
【図９】
2020513281.tif 000011
【図１０】
2020513281.tif 000012
【図１１】
2020513281.tif 000013
【図１２】
2020513281.tif 000014
【図１３】
2020513281.tif 000015
【図１４】
2020513281.tif 000016
【図１５】
2020513281.tif 000017
【図１６】
2020513281.tif 000018
【図１７】
2020513281.tif 000019
【図１８】
2020513281.tif 000020
【国際調査報告】
2020513281.tif 000021
2020513281.tif 000022
2020513281.tif 000023
2020513281.tif 000024